(57)【要約】      （修正有）【課題】画像データに二値画像データを潜像情報として合成する潜像情報合成技術に関する。【解決手段】第１の領域及び第２の領域のいずれか一方が真偽判別対象となる二値画像データｇと、明度αの画素と明度βの画素（α、βは０以上の整数、β＞α）が任意に配列された二値画像データｈを入力する入力工程と、二値画像データｇ及び二値画像データｈを基にして二値画像データｉを生成するデータ生成工程と、二値画像データｈと二値画像データｉとを合成して二値画像ｇ潜像化済み画像データｊを生成するデータ合成工程と、二値画像ｇ潜像化済み画像データｊを基にして真偽判別対象画像を有する印刷物を作製する印刷工程とから成ること特徴とする印刷物作製方法である。【選択図】図１
2008188794.tif 000002
【特許請求の範囲】
【請求項１】
第１の領域及び第２の領域のいずれか一方が真偽判別対象となる二値画像データｇと、明度αの画素と明度βの画素（α、βは０以上の整数、β＞α）が任意に配列された二値画像データｈを入力する入力工程と、前記二値画像データｇ及び前記二値画像データｈを基にして二値画像データｉを生成するデータ生成工程と、前記二値画像データｈと前記二値画像データｉとを合成して二値画像ｇ潜像化済み画像データｊを生成するデータ合成工程と、  前記二値画像ｇ潜像化済み画像データｊを基にして真偽判別対象画像を有する印刷物を作製する印刷工程と、から成ることを特徴とする印刷物作製方法。  
【請求項２】
可視情報を有する画像データｆ、第１の領域及び第２の領域のいずれか一方が真偽判別対象となる二値画像データｇ及び明度αの画素と明度βの画素（α、βは０以上の整数、β＞α）が任意に配列された二値画像データｈを入力する入力工程と、前記二値画像データｇ及び前記二値画像データｈを基にして二値画像データｉを生成するデータ生成工程と、前記二値画像データｈと前記二値画像データｉとを合成して二値画像ｇ潜像化済み画像データｊを生成するデータ合成工程と、前記二値画像ｇ潜像化済み画像データｊと前記画像データｆとを結合して結合画像データｎを生成するデータ結合工程と、  前記結合画像データｎを基にして真偽判別対象画像を有する印刷物を作製する印刷工程と、から成ることを特徴とする印刷物作製方法。
【請求項３】
前記データ生成工程は、前記二値画像データｇの前記第１の領域又は前記第２の領域のいずれか一方の領域に対応する前記二値画像データｈの領域において、  前記二値画像データｈの前記明度αを前記明度βに反転し、前記明度βを前記明度αに反転し、二値画像データｉを生成することを特徴とする請求項１又は２記載の印刷物作製方法。    
【請求項４】
前記データ合成工程は、前記二値画像データｈの前記明度α及び前記明度βをそれぞれ明度α’及び明度β’（α’、β’は０以上の整数、β’＞α’）に補正して画像データｈ’を生成し、  前記二値画像データｉの前記明度α及び前記明度βをそれぞれ明度α’’及び明度β’’（α’’、β’’は０以上の整数、β’’＞α’’）に補正して画像データｉ’を生成し、  前記画像データｈ’及び前記画像データｉ’のいずれか一方を、シアン成分、マゼンタ成分、イエロー成分及び黒成分から成るカラー画像データの前記黒成分に代入するとともに、他方を前記シアン成分、前記マゼンタ成分及び前記イエロー成分の各成分に代入してｃｍｙｋ画像データ（ｃ：シアン、ｍ：マゼンタ、ｙ：イエロー、ｋ：黒）を生成し、  前記ｃｍｙｋ画像データが白黒画像データとなり、前記ｃｍｙｋ画像データに前記二値画像データｇの前記第１の領域及び前記第２の領域のいずれか一方の領域が発現しないように、  前記ｃｍｙｋ画像データのｃ成分の各画素の明度を補正して、前記第１の領域における明度Ｃ１ａの画素及び明度Ｃ１ｂの画素（Ｃ１ａ、Ｃ１ｂは０以上の整数、Ｃ１ｂ＞Ｃ１ａ）と前記第２の領域における明度Ｃ２ａの画素及び明度Ｃ２ｂの画素（Ｃ２ａ、Ｃ２ｂは０以上の整数、Ｃ２ｂ＞Ｃ２ａ）から成るＣ成分を生成し、かつ、  前記ｃｍｙｋ画像データのｍ成分の各画素の明度を補正して、前記第１の領域における明度Ｍ１ａの画素及び明度Ｍ１ｂの画素（Ｍ１ａ、Ｍ１ｂは０以上の整数、Ｍ１ｂ＞Ｍ１ａ）と前記第２の領域における明度Ｍ２ａの画素及び明度Ｍ２ｂの画素（Ｍ２ａ、Ｍ２ｂは０以上の整数、Ｍ２ｂ＞Ｍ２ａ）から成るＭ成分を生成し、かつ、  前記ｃｍｙｋ画像データのｙ成分の各画素の明度を補正して、前記第１の領域におけるＹ１ａの画素及び明度Ｙ１ｂの画素（Ｙ１ａ、Ｙ１ｂは０以上の整数、Ｙ１ｂ＞Ｙ１ａ）と前記第２の領域における明度Ｙ２ａの画素及び明度Ｙ２ｂの画素（Ｙ２ａ、Ｙ２ｂは０以上の整数、Ｙ２ｂ＞Ｙ２ａ）から成るＹ成分を生成し、  前記ｃｍｙｋ画像データのｋ成分の各画素の明度を、前記第１の領域及び前記第２の領域において、明度ｋａ及びｋｂ｛（ｋａ、ｋｂ）の組み合わせは（α’、β’）又は（α’’、β’’）｝とし、  前記Ｃ成分、前記Ｍ成分、前記Ｙ成分及び前記ｋ成分によって構成されたＣＭＹｋ画像データを前記二値画像ｇ潜像化済み画像データｊとすることを特徴とする請求項１又は２記載の印刷物作製方法。
【請求項５】
前記データ結合工程は、前記二値画像ｇ潜像化済み画像データｊと前記画像データｆとをレイヤー結合し、前記結合画像データｎを生成することを特徴とする請求項２記載の印刷物作製方法。    
【請求項６】
前記Ｃ１ａは、前記Ｍ１ａ、前記Ｙ１ａ及び前記ｋａよりも小さい明度で形成し、  前記Ｃ１ｂは、前記Ｍ１ｂ、前記Ｙ１ｂ及び前記ｋｂよりも小さい明度で形成し、  前記Ｃ２ａは、前記Ｍ２ａ、前記Ｙ２ａ及び前記ｋａよりも小さい明度で形成し、  前記Ｃ２ｂは、前記Ｍ２ｂ、前記Ｙ２ｂ及び前記ｋｂよりも小さい明度で形成することを特徴とする請求項４記載の印刷物作製方法。    
【請求項７】
第１の領域及び第２の領域のいずれか一方が真偽判別対象となる二値画像データｇと、明度αの画素と明度βの画素（α、βは０以上の整数、β＞α）が任意に配列された二値画像データｈを入力する入力部と、前記二値画像データｇ及び前記二値画像データｈを基にして二値画像データｉを生成するデータ生成部と、  前記二値画像データｈと前記二値画像データｉとを合成して二値画像ｇ潜像化済み画像データｊを生成するデータ合成部と、  前記二値画像ｇ潜像化済み画像データｊを基にして真偽判別対象画像を有する印刷物を作製する印刷部と、を具備することを特徴とする印刷物作製装置。  
【請求項８】
可視情報を有する画像データｆ、第１の領域及び第２の領域のいずれか一方が真偽判別対象となる二値画像データｇ及び明度αの画素と明度βの画素（α、βは０以上の整数、β＞α）が任意に配列された二値画像データｈを入力する入力部と、前記二値画像データｇ及び前記二値画像データｈを基にして二値画像データｉを生成するデータ生成部と、前記二値画像データｈと前記二値画像データｉとを合成して二値画像ｇ潜像化済み画像データｊを生成するデータ合成部と、  前記二値画像ｇ潜像化済み画像データｊと前記画像データｆとを結合して結合画像データｎを生成するデータ結合部と、  前記結合画像データｎを基にして真偽判別対象画像を有する印刷物を作製する印刷部と、を具備することを特徴とする印刷物作製装置。
【請求項９】
前記データ生成部は、前記二値画像データｇの前記第１の領域又は前記第２の領域のいずれか一方の領域に対応する前記二値画像データｈの領域において、  前記二値画像データｈの前記明度αを前記明度βに反転し、前記明度βを前記明度αに反転し、二値画像データｉを生成することを特徴とする請求項７又は８記載の印刷物作製装置。    
【請求項１０】
前記データ合成部は、前記二値画像データｈの前記明度α及び前記明度βをそれぞれ明度α’及び明度β’（α’、β’は０以上の整数、β’＞α’）に補正して画像データｈ’を生成し、  前記二値画像データｉの前記明度α及び前記明度βをそれぞれ明度α’’及び明度β’’（α’’、β’’は０以上の整数、β’’＞α’’）に補正して画像データｉ’を生成し、  前記画像データｈ’及び前記画像データｉ’のいずれか一方を、シアン成分、マゼンタ成分、イエロー成分、黒成分から成るカラー画像データの前記黒成分に代入するとともに、他方を前記シアン成分、前記マゼンタ成分、前記イエロー成分の各成分に代入してｃｍｙｋ画像データ（ｃ：シアン、ｍ：マゼンタ、ｙ：イエロー、ｋ：黒）を生成し、  前記ｃｍｙｋ画像データが白黒画像データとなり、前記ｃｍｙｋ画像データに前記二値画像データｇの前記第１の領域及び前記第２の領域のいずれか一方の領域が発現しないように、  前記ｃｍｙｋ画像データのｃ成分の各画素の明度を補正して、前記第１の領域における明度Ｃ１ａの画素及び明度Ｃ１ｂの画素（Ｃ１ａ、Ｃ１ｂは０以上の整数、Ｃ１ｂ＞Ｃ１ａ）と前記第２の領域における明度Ｃ２ａの画素及び明度Ｃ２ｂの画素（Ｃ２ａ、Ｃ２ｂは０以上の整数、Ｃ２ｂ＞Ｃ２ａ）から成るＣ成分を生成し、かつ、  前記ｃｍｙｋ画像データのｍ成分の各画素の明度を補正して、前記第１の領域における明度Ｍ１ａの画素及び明度Ｍ１ｂの画素（Ｍ１ａ、Ｍ１ｂは０以上の整数、Ｍ１ｂ＞Ｍ１ａ）と前記第２の領域における明度Ｍ２ａの画素及び明度Ｍ２ｂの画素（Ｍ２ａ、Ｍ２ｂは０以上の整数、Ｍ２ｂ＞Ｍ２ａ）から成るＭ成分を生成し、かつ、  前記ｃｍｙｋ画像データのｙ成分の各画素の明度を補正して、前記第１の領域における明度Ｙ１ａの画素及び明度Ｙ１ｂの画素（Ｙ１ａ、Ｙ１ｂは０以上の整数、Ｙ１ｂ＞Ｙ１ａ）と前記第２の領域における明度Ｙ２ａの画素及び明度Ｙ２ｂの画素（Ｙ２ａ、Ｙ２ｂは０以上の整数、Ｙ２ｂ＞Ｙ２ａ）から成るＹ成分を生成し、  前記ｃｍｙｋ画像データのｋ成分の各画素の明度を、前記第１の領域及び前記第２の領域において、明度ｋａ及び明度ｋｂ｛（ｋａ、ｋｂ）の組み合わせは、（α’、β’）又は（α’’、β’’）｝とし、  前記Ｃ成分、前記Ｍ成分、前記Ｙ成分及び前記ｋ成分によって構成されたＣＭＹｋ画像データを前記二値画像ｇ潜像化済み画像データｊとすることを特徴とする請求項７又は８記載の印刷物作製装置。    
【請求項１１】
前記データ結合部は、前記二値画像ｇ潜像化済み画像データｊと前記画像データｆとをレイヤー結合し、前記結合画像データｎを生成することを特徴とする請求項８記載の印刷物作製装置。    
【請求項１２】
前記Ｃ１ａは、前記Ｍ１ａ、前記Ｙ１ａ及び前記ｋａよりも小さい明度で形成し、  前記Ｃ１ｂは、前記Ｍ１ｂ、前記Ｙ１ｂ及び前記ｋｂよりも小さい明度で形成し、  前記Ｃ２ａは、前記Ｍ２ａ、前記Ｙ２ａ及び前記ｋａよりも小さい明度で形成し、  前記Ｃ２ｂは、前記Ｍ２ｂ、前記Ｙ２ｂ及び前記ｋｂよりも小さい明度で形成することを特徴とする請求項１０記載の印刷物作製装置。    
【請求項１３】
真偽判別対象画像を有する印刷物を読み取って真偽判別対象画像データを生成する真偽判別対象画像データ取得工程と、前記真偽判別対象画像データ内のウィンドウにおける明度のばらつきを基にして前記ウィンドウの中心画素の明度を変換する明度変換工程と、前記明度変換工程後の画像データに所定の階調変換を行って判別用画像データを生成する判別用画像データ生成工程と、前記判別用画像データとあらかじめ定められた基準画像データとを表示する表示工程と、  前記判別用画像データと前記基準画像データとを比較及び照合して真偽判別を行い、真偽判別結果を出力する真偽判別工程と、から成ることを特徴とする真偽判別方法。    
【請求項１４】
前記真偽判別対象画像データ取得工程は、前記真偽判別対象画像を有する印刷物に対して可視光及び赤外光の両方を照射し、前記可視光及び前記赤外光の両方に十分な感度を有する画像入力装置を用いて前記真偽判別対象画像を読み取って、前記真偽判別対象画像データを生成することを特徴とする請求項１３記載の真偽判別方法。    
【請求項１５】
前記明度変換工程は、前記真偽判別対象画像データ内にｐ×ｑ画素（ｐ、ｑは正の整数）のウィンドウを設定し、前記ウィンドウを走査させるごとに前記ウィンドウ内の明度のばらつきを測定し、前記ウィンドウ内の明度のばらつきが大きい場合には、前記ウィンドウの中心画素の明度を小さくし、前記ウィンドウ内の明度のばらつきが小さい場合には、前記ウィンドウの中心画素の明度を大きくする明度変換を第１の明度変換と定義し、前記ウィンドウ内の明度のばらつきが大きい場合には、前記ウィンドウの中心画素の明度を大きくし、前記ウィンドウ内の明度のばらつきが小さい場合には、前記ウィンドウの中心画素の明度を小さくする明度変換を第２の明度変換と定義し、前記ウィンドウを走査させるごとに、前記第１の明度変換又は前記第２の明度変換のいずれかを行うことにより前記真偽判別対象画像データの明度を変換することを特徴とする請求項１３記載の真偽判別方法。    
【請求項１６】
真偽判別対象画像を有する印刷物を読み取って真偽判別対象画像データを生成する真偽判別対象画像データ取得部と、前記真偽判別対象画像データ内のウィンドウにおける明度のばらつきを基にして前記ウィンドウの中心画素の明度を変換する明度変換部と、明度変換後の画像データに所定の階調変換を行って判別用画像データを生成する判別用画像データ生成部と、前記判別用画像データとあらかじめ定められた基準画像データとを表示する表示部と、  前記判別用画像データと前記基準画像データとを比較、照合して真偽判別を行い、真偽判別結果を出力する真偽判別部とを具備することを特徴とする真偽判別装置。    
【請求項１７】
前記真偽判別対象画像データ取得部は、前記真偽判別対象画像を有する印刷物に対して可視光及び赤外光の両方を照射し、前記可視光及び前記赤外光の両方に十分な感度を有する画像入力装置を用いて前記真偽判別対象画像を読み取って、前記真偽判別対象画像データを生成することを特徴とする請求項１６記載の真偽判別装置。    
【請求項１８】
前記明度変換部は、前記真偽判別対象画像データ内にｐ×ｑ画素（ｐ、ｑは正の整数）のウィンドウを設定し、前記ウィンドウを走査させるごとに前記ウィンドウ内の明度のばらつきを測定し、前記ウィンドウ内の明度のばらつきが大きい場合には、前記ウィンドウの中心画素の明度を小さくし、前記ウィンドウ内の明度のばらつきが小さい場合には、前記ウィンドウの中心画素の明度を大きくする明度変換を第１の明度変換と定義し、前記ウィンドウ内の明度のばらつきが大きい場合には、前記ウィンドウの中心画素の明度を大きくし、前記ウィンドウ内の明度のばらつきが小さい場合には、前記ウィンドウの中心画素の明度を小さくする明度変換を第２の明度変換と定義し、  前記ウィンドウを走査させるごとに、前記第１の明度変換又は前記第２の明度変換のいずれかを行うことにより前記真偽判別対象画像データの明度を変換することを特徴とする請求項１６記載の真偽判別装置。    
【請求項１９】
基材に、シアン、マゼンタ、イエロー、黒の色材を用いて印刷画像が形成されており、前記印刷画像は、第１の領域と第２の領域を有し、  前記シアンの色材は、前記第１の領域において、明度Ｃ１ａ及び明度Ｃ１ｂ（Ｃ１ａ、Ｃ１ｂは０以上の整数、Ｃ１ｂ＞Ｃ１ａ）を有するとともに、前記第２の領域において、明度Ｃ２ａ及び明度Ｃ２ｂ（Ｃ２ａ、Ｃ２ｂは０以上の整数、Ｃ２ｂ＞Ｃ２ａ）を有し、  前記マゼンタの色材は、前記第１の領域において、明度Ｍ１ａ及び明度Ｍ１ｂ（Ｍ１ａ、Ｍ１ｂは０以上の整数、Ｍ１ｂ＞Ｍ１ａ）を有するとともに、前記第２の領域において、明度Ｍ２ａ及び明度Ｍ２ｂ（Ｍ２ａ、Ｍ２ｂは０以上の整数、Ｍ２ｂ＞Ｍ２ａ）を有し、  前記イエローの色材は、前記第１の領域において、明度Ｙ１ａ及び明度Ｙ１ｂ（Ｙ１ａ、Ｙ１ｂは０以上の整数、Ｙ１ｂ＞Ｙ１ａ）を有するとともに、前記第２の領域において、明度Ｙ２ａ及び明度Ｙ２ｂ（Ｙ２ａ、Ｙ２ｂは０以上の整数、Ｙ２ｂ＞Ｙ２ａ）を有し、  前記黒の色材は、前記第１の領域及び前記第２の領域において、明度ｋａ及び明度ｋｂ｛（ｋａ、ｋｂ）の組み合わせは、（α’、β’）又は（α’’、β’’）｝を有し、  前記第１の領域における各画素は、前記Ｃ１ａ、前記Ｍ１ａ、前記Ｙ１ａ及び前記ｋｂの明度の組み合わせ又は前記Ｃ１ｂ、前記Ｍ１ｂ、前記Ｙ１ｂ及び前記ｋａの明度の組み合わせのいずれかを有するとともに、前記Ｃ１ａ、前記Ｍ１ａ、前記Ｙ１ａ及び前記ｋｂの明度の組み合わせの画素と前記Ｃ１ｂ、前記Ｍ１ｂ、前記Ｙ１ｂ及び前記ｋａの明度の組み合わせの画素は、画素数が同一又は近似しており、  前記第２の領域における各画素は、前記Ｃ２ａ、前記Ｍ２ａ、前記Ｙ２ａ及び前記ｋａの明度の組み合わせ、又は前記Ｃ２ｂ、前記Ｍ２ｂ、前記Ｙ２ｂ及び前記ｋｂの明度の組み合わせのいずれかを有するとともに、前記Ｃ２ａ、前記Ｍ２ａ、前記Ｙ２ａ及び前記ｋａの明度の組み合わせの画素と前記Ｃ２ｂ、前記Ｍ２ｂ、前記Ｙ２ｂ及び前記ｋｂの明度の組み合わせの画素は、画素数が同一又は近似していることを特徴とする真偽判別対象画像を有する印刷物。    
【請求項２０】
請求項１９の印刷物に毛抜き合せ又は隣接して可視情報となる第３の領域が形成され、  前記第３の領域はＣ、Ｍ、Ｙ及び黒の少なくとも一つで形成されたことを特徴とする真偽判別対象画像を有する印刷物。    
【請求項２１】
前記Ｃ１ａは、前記Ｍ１ａ、前記Ｙ１ａ及び前記ｋａよりも小さい明度で形成し、  前記Ｃ１ｂは、前記Ｍ１ｂ、前記Ｙ１ｂ及び前記ｋｂよりも小さい明度で形成し、  前記Ｃ２ａは、前記Ｍ２ａ、前記Ｙ２ａ及び前記ｋａよりも小さい明度で形成し、  前記Ｃ２ｂは、前記Ｍ２ｂ、前記Ｙ２ｂ及び前記ｋｂよりも小さい明度で形成することを特徴とする請求項１９又は２０記載の真偽判別対象画像を有する印刷物。 
【発明の詳細な説明】
【技術分野】
【０００１】
本発明は、画像データに二値画像データを潜像情報として合成する潜像情報合成技術に関するものであり、証券、証書、紙幣、印紙、証紙、切手、旅券、身分証明書、通行証、会員証及びクレジットカードを含む印刷物の識別や真偽判別に利用できる技術である。
【背景技術】
【０００２】
潜像情報合成技術は、通常、画像データに表面的には知覚できない形で情報を合成しておき、合成された情報を検出することにより、画像データの真偽判別や不正コピーの発見等に利用される。      
【０００３】
その一例として、モジュロ演算により振幅変調して情報を合成する方法がある（例えば、特許文献１参照）。      
【０００４】
また、シアン（以下「Ｃ」という）、マゼンタ（以下「Ｍ」という）、イエロー（以下「Ｙ」という）、黒（以下「ｋ」という）の４色を用いた連続階調画像に情報を合成する方法がある（例えば、特許文献２参照）。      
【０００５】
【特許文献１】特許第３５９３４２２号公報（第１−１０頁、第１−１２図）
【特許文献２】特許第３５４４５３６号公報（第１−８頁、第１−９図）
【発明の開示】
【発明が解決しようとする課題】
【０００６】
しかしながら、特許第３５９３４２２号公報の振幅変調を用いた情報の合成方法は、印刷物に適用しようとすると、照明ムラ等の影響を受けやすいため、合成した情報を安定して検出することが困難である。      
【０００７】
また、特許第３５４４５３６号公報のＣ、Ｍ、Ｙ、ｋの４色を用いた連続階調画像に情報を合成する方法は、赤外画像に潜像情報を発現させるものであるが、秘匿性という観点では更なる技術開発が望まれるものでもあった。      
【０００８】
本発明は、前述した課題を解決することを目的としたもので、振幅変調を用いた情報の合成方法で得られた印刷物であっても、合成した情報を安定して検出が可能であり、赤外線のみの領域で潜像情報が発現することなく、潜像情報（真偽判別対象画像）に対して秘匿性を向上させるものであって、原画像に二値画像が潜像化された真偽判別対象画像を有する印刷物を作製し、この印刷物から読み取った真偽判別対象画像データに所定の処理を施して判別用画像データを生成し、この判別用画像データと基準画像データとを比較及び照合して、印刷物の真偽判別を行うものである。      
【０００９】
また、本発明は、印刷物の偽造及び変造を防止することを目的とした印刷物作製方法、印刷物作製装置、真偽判別方法、真偽判別装置及び印刷物を提供することを課題とする。
【課題を解決するための手段】
【００１０】
本発明は、第１の領域及び第２の領域のいずれか一方が真偽判別対象となる二値画像データｇと、明度αの画素と明度βの画素（α、βは０以上の整数、β＞α）が任意に配列された二値画像データｈを入力する入力工程と、二値画像データｇ及び二値画像データｈを基にして二値画像データｉを生成するデータ生成工程と、二値画像データｈと二値画像データｉとを合成して二値画像ｇ潜像化済み画像データｊを生成するデータ合成工程と、二値画像ｇ潜像化済み画像データｊを基にして真偽判別対象画像を有する印刷物を作製する印刷工程とから成ることを特徴とする印刷物作製方法である。      
【００１１】
また、本発明は、可視情報を有する画像データｆ、第１の領域及び第２の領域のいずれか一方が真偽判別対象となる二値画像データｇ及び明度αの画素と明度βの画素（α、βは０以上の整数、β＞α）が任意に配列された二値画像データｈを入力する入力工程と、二値画像データｇ及び二値画像データｈを基にして二値画像データｉを生成するデータ生成工程と、二値画像データｈと二値画像データｉとを合成して二値画像ｇ潜像化済み画像データｊを生成するデータ合成工程と、二値画像ｇ潜像化済み画像データｊと画像データｆとを結合して結合画像データｎを生成するデータ結合工程と、結合画像データｎを基にして真偽判別対象画像を有する印刷物を作製する印刷工程とから成ることを特徴とする印刷物作製方法である。      
【００１２】
また、本発明のデータ生成工程は、二値画像データｇの第１の領域又は第２の領域のいずれか一方の領域に対応する二値画像データｈの領域において、二値画像データｈの明度αを明度βに反転し、明度βを明度αに反転し、二値画像データｉを生成することを特徴とする印刷物作製方法である。      
【００１３】
また、本発明のデータ合成工程は、二値画像データｈの明度α及び明度βをそれぞれ明度α’及び明度β’（α’、β’は０以上の整数、β’＞α’）に補正して画像データｈ’を生成し、二値画像データｉの明度α及び明度βをそれぞれ明度α’’及び明度β’’（α’’、β’’は０以上の整数、β’’＞α’’）に補正して画像データｉ’を生成し、画像データｈ’及び画像データｉ’のいずれか一方を、Ｃ成分、Ｍ成分、Ｙ成分及びｋ成分から成るカラー画像データのｋ成分に代入するとともに、他方をＣ成分、Ｍ成分、Ｙ成分の各成分に代入してｃｍｙｋ画像データを生成し、ｃｍｙｋ画像データが白黒画像データとなり、ｃｍｙｋ画像データに二値画像データｇの第１の領域及び第２の領域のいずれか一方の領域が発現しないように、ｃｍｙｋ画像データのｃ成分の各画素の明度を補正して、第１の領域における明度Ｃ１ａの画素及び明度Ｃ１ｂの画素（Ｃ１ａ、Ｃ１ｂは０以上の整数、Ｃ１ｂ＞Ｃ１ａ）と第２の領域における明度Ｃ２ａの画素及び明度Ｃ２ｂの画素（Ｃ２ａ、Ｃ２ｂは０以上の整数、Ｃ２ｂ＞Ｃ２ａ）から成るＣ成分を生成し、かつ、ｃｍｙｋ画像データのｍ成分の各画素の明度を補正して、第１の領域における明度Ｍ１ａの画素及び明度Ｍ１ｂの画素（Ｍ１ａ、Ｍ１ｂは０以上の整数、Ｍ１ｂ＞Ｍ１ａ）と第２の領域における明度Ｍ２ａの画素及び明度Ｍ２ｂの画素（Ｍ２ａ、Ｍ２ｂは０以上の整数、Ｍ２ｂ＞Ｍ２ａ）から成るＭ成分を生成し、かつ、ｃｍｙｋ画像データのｙ成分の各画素の明度を補正して、第１の領域における明度Ｙ１ａの画素及び明度Ｙ１ｂの画素（Ｙ１ａ、Ｙ１ｂは０以上の整数、Ｙ１ｂ＞Ｙ１ａ）と第２の領域における明度Ｙ２ａの画素及び明度Ｙ２ｂの画素（Ｙ２ａ、Ｙ
２ｂは０以上の整数、Ｙ２ｂ＞Ｙ２ａ）から成るＹ成分を生成し、ｃｍｙｋ画像データのｋ成分の各画素の明度を、第１の領域及び第２の領域において、明度ｋａ及び明度ｋｂ｛（ｋａ、ｋｂ）の組み合わせは、（α’、β’）又は（α’’、β’’）｝とし、Ｃ成分、Ｍ成分、Ｙ成分及びｋ成分によって構成されたＣＭＹｋ画像データを二値画像ｇ潜像化済み画像データｊとすることを特徴とする印刷物作製方法である。      
【００１４】
また、本発明のデータ結合工程は、二値画像ｇ潜像化済み画像データｊと画像データｆとをレイヤー結合し、結合画像データｎを生成することを特徴とする印刷物作製方法である。      
【００１５】
また、本発明のＣ１ａは、Ｍ１ａ、Ｙ１ａ及びｋａよりも小さい明度で形成し、Ｃ１ｂは、Ｍ１ｂ、Ｙ１ｂ及びｋｂよりも小さい明度で形成し、Ｃ２ａは、Ｍ２ａ、Ｙ２ａ及びｋａよりも小さい明度で形成し、Ｃ２ｂは、Ｍ２ｂ、Ｙ２ｂ及びｋｂよりも小さい明度で形成することを特徴とする印刷物作製方法である。      
【００１６】
また、本発明は、第１の領域及び第２の領域のいずれか一方が真偽判別対象となる二値画像データｇと、明度αの画素と明度βの画素（α、βは０以上の整数、β＞α）が任意に配列された二値画像データｈを入力する入力部と、二値画像データｇ及び二値画像データｈを基にして二値画像データｉを生成するデータ生成部と、二値画像データｈと二値画像データｉとを合成して二値画像ｇ潜像化済み画像データｊを生成するデータ合成部と、二値画像ｇ潜像化済み画像データｊを基にして真偽判別対象画像を有する印刷物を作製する印刷部とを具備することを特徴とする印刷物作製装置である。      
【００１７】
また、本発明は、可視情報を有する画像データｆ、第１の領域及び第２の領域のいずれか一方が真偽判別対象となる二値画像データｇ及び明度αの画素と明度βの画素（α、βは０以上の整数、β＞α）が任意に配列された二値画像データｈを入力する入力部と、二値画像データｇ及び二値画像データｈを基にして二値画像データｉを生成するデータ生成部と、二値画像データｈと二値画像データｉとを合成して二値画像ｇ潜像化済み画像データｊを生成するデータ合成部と、二値画像ｇ潜像化済み画像データｊと画像データｆとを結合して結合画像データｎを生成するデータ結合部と、結合画像データｎを基にして真偽判別対象画像を有する印刷物を作製する印刷部とを具備することを特徴とする印刷物作製装置である。      
【００１８】
また、本発明のデータ生成部は、二値画像データｇの第１の領域又は第２の領域のいずれか一方の領域に対応する二値画像データｈの領域において、二値画像データｈの明度αを明度βに反転し、明度βを明度αに反転し、二値画像データｉを生成することを特徴とする印刷物作製装置である。      
【００１９】
また、本発明のデータ合成部は、二値画像データｈの明度α及び明度βをそれぞれ明度α’及び明度β’（α’、β’は０以上の整数、β’＞α’）に補正して画像データｈ’を生成し、二値画像データｉの明度α及び明度βをそれぞれ明度α’’及び明度β’’（α’’、β’’は０以上の整数、β’’＞α’’）に補正して画像データｉ’を生成し、画像データｈ’及び画像データｉ’のいずれか一方を、Ｃ成分、Ｍ成分、Ｙ成分及びｋ成分から成るカラー画像データのｋ成分に代入するとともに、他方をＣ成分、Ｍ成分及びＹ成分の各成分に代入してｃｍｙｋ画像データを生成し、ｃｍｙｋ画像データが白黒画像データとなり、ｃｍｙｋ画像データに二値画像データｇの第１の領域及び第２の領域のいずれか一方の領域が発現しないように、ｃｍｙｋ画像データのｃ成分の各画素の明度を補正して、第１の領域における明度Ｃ１ａの画素及び明度Ｃ１ｂの画素（Ｃ１ａ、Ｃ１ｂは０以上の整数、Ｃ１ｂ＞Ｃ１ａ）と第２の領域における明度Ｃ２ａの画素及び明度Ｃ２ｂの画素（Ｃ２ａ、Ｃ２ｂは０以上の整数、Ｃ２ｂ＞Ｃ２ａ）から成るＣ成分を生成し、かつ、ｃｍｙｋ画像データのｍ成分の各画素の明度を補正して、第１の領域における明度Ｍ１ａの画素及び明度Ｍ１ｂの画素（Ｍ１ａ、Ｍ１ｂは０以上の整数、Ｍ１ｂ＞Ｍ１ａ）と第２の領域における明度Ｍ２ａの画素及び明度Ｍ２ｂの画素（Ｍ２ａ、Ｍ２ｂは０以上の整数、Ｍ２ｂ＞Ｍ２ａ）から成るＭ成分を生成し、かつ、ｃｍｙｋ画像データのｙ成分の各画素の明度を補正して、第１の領域における明度Ｙ１ａの画素及び明度Ｙ１ｂの画素（Ｙ１ａ、Ｙ１ｂは０以上の整数、Ｙ１ｂ＞Ｙ１ａ）と第２の領域における明度Ｙ２ａの画素及び明度Ｙ２ｂの画素（Ｙ２ａ、Ｙ２ｂは０以上の整数、Ｙ２ｂ＞Ｙ２ａ）から成るＹ成分を生成し、ｃｍｙｋ画像データのｋ成分の各画素の明度を、第１の領域及び第２の領域において、明度ｋａ及び明度ｋｂ｛（ｋａ、ｋｂ）の組み合わせは、（α’、β’）又は（α’’、β’’）｝とし、Ｃ成分、Ｍ成分、Ｙ成分及びｋ成分によって構成されたＣＭＹｋ画像データを二値画像ｇ潜像化済み画像データｊとすることを特徴とする印刷物作製装置である。      
【００２０】
また、本発明のデータ結合部は、二値画像ｇ潜像化済み画像データｊと画像データｆとをレイヤー結合し、結合画像データｎを生成することを特徴とする印刷物作製装置である。      
【００２１】
また、本発明のＣ１ａは、Ｍ１ａ、Ｙ１ａ及びｋａよりも小さい明度で形成し、Ｃ１ｂは、Ｍ１ｂ、Ｙ１ｂ及びｋｂよりも小さい明度で形成し、Ｃ２ａは、Ｍ２ａ、Ｙ２ａ及びｋａよりも小さい明度で形成し、Ｃ２ｂは、Ｍ２ｂ、Ｙ２ｂ及びｋｂよりも小さい明度で形成することを特徴とする印刷物作製装置である。      
【００２２】
また、本発明は、真偽判別対象画像を有する印刷物を読み取って真偽判別対象画像データを生成する真偽判別対象画像データ取得工程と、真偽判別対象画像データ内のウィンドウにおける明度のばらつきを基にしてウィンドウの中心画素の明度を変換する明度変換工程と、明度変換工程後の画像データに所定の階調変換を行って判別用画像データを生成する判別用画像データ生成工程と、判別用画像データとあらかじめ定められた基準画像データとを表示する表示工程と、判別用画像データと基準画像データとを比較及び照合して真偽判別を行い、真偽判別結果を出力する真偽判別工程とから成ることを特徴とする真偽判別方法である。      
【００２３】
また、本発明の真偽判別対象画像データ取得工程は、真偽判別対象画像を有する印刷物に対して可視光及び赤外光の両方を照射し、可視光及び赤外光の両方に十分な感度を有する画像入力装置を用いて真偽判別対象画像を読み取って、真偽判別対象画像データを生成することを特徴とする真偽判別方法である。      
【００２４】
また、本発明の明度変換工程は、真偽判別対象画像データ内にｐ×ｑ画素（ｐ、ｑは正の整数）のウィンドウを設定し、ウィンドウを走査させるごとにウィンドウ内の明度のばらつきを測定し、ウィンドウ内の明度のばらつきが大きい場合にはウィンドウの中心画素の明度を小さくし、ウィンドウ内の明度のばらつきが小さい場合にはウィンドウの中心画素の明度を大きくする明度変換を第１の明度変換と定義し、ウィンドウ内の明度のばらつきが大きい場合にはウィンドウの中心画素の明度を大きくし、ウィンドウ内の明度のばらつきが小さい場合にはウィンドウの中心画素の明度を小さくする明度変換を第２の明度変換と定義し、ウィンドウを走査させるごとに、第１の明度変換又は第２の明度変換のいずれかを行うことにより真偽判別対象画像データの明度を変換することを特徴とする真偽判別方法である。      
【００２５】
また、本発明は、真偽判別対象画像を有する印刷物を読み取って真偽判別対象画像データを生成する真偽判別対象画像データ取得部と、真偽判別対象画像データ内のウィンドウにおける明度のばらつきを基にしてウィンドウの中心画素の明度を変換する明度変換部と、変換後の画像データに所定の階調変換を行って判別用画像データを生成する判別用画像データ生成部と、判別用画像データとあらかじめ定められた基準画像データとを表示する表示部と、判別用画像データと基準画像データとを比較及び照合して真偽判別を行い、真偽判別結果を出力する真偽判別部とを具備することを特徴とする真偽判別装置である。      
【００２６】
また、本発明の真偽判別対象画像データ取得部は、真偽判別対象画像を有する印刷物に対して可視光及び赤外光の両方を照射し、可視光及び赤外光の両方に十分な感度を有する画像入力装置を用いて真偽判別対象画像を読み取って、真偽判別対象画像データを生成することを特徴とする真偽判別装置である。      
【００２７】
また、本発明の明度変換部は、真偽判別対象画像データ内にｐ×ｑ画素（ｐ、ｑは正の整数）のウィンドウを設定し、ウィンドウを走査させるごとにウィンドウ内の明度のばらつきを測定し、ウィンドウ内の明度のばらつきが大きい場合にはウィンドウの中心画素の明度を小さくし、ウィンドウ内の明度のばらつきが小さい場合にはウィンドウの中心画素の明度を大きくする明度変換を第１の明度変換と定義し、ウィンドウ内の明度のばらつきが大きい場合にはウィンドウの中心画素の明度を大きくし、ウィンドウ内の明度のばらつきが小さい場合にはウィンドウの中心画素の明度を小さくする明度変換を第２の明度変換と定義し、ウィンドウを走査させるごとに、第１の明度変換又は第２の明度変換のいずれかを行うことにより真偽判別対象画像データの明度を変換することを特徴とする真偽判別装置である。      
【００２８】
また、本発明は、基材に、Ｃ、Ｍ、Ｙ及びｋの色材を用いて印刷画像が形成されており、印刷画像は、第１の領域と第２の領域を有し、Ｃの色材は、第１の領域において、明度Ｃ１ａ及び明度Ｃ１ｂ（Ｃ１ａ、Ｃ１ｂは０以上の整数、Ｃ１ｂ＞Ｃ１ａ）を有するとともに、第２の領域において、明度Ｃ２ａ及び明度Ｃ２ｂ（Ｃ２ａ、Ｃ２ｂは０以上の整数、Ｃ２ｂ＞Ｃ２ａ）を有し、Ｍの色材は、第１の領域において、明度Ｍ１ａ及び明度Ｍ１ｂ（Ｍ１ａ、Ｍ１ｂは０以上の整数、Ｍ１ｂ＞Ｍ１ａ）を有するとともに、第２の領域において、明度Ｍ２ａ及び明度Ｍ２ｂ（Ｍ２ａ、Ｍ２ｂは０以上の整数、Ｍ２ｂ＞Ｍ２ａ）を有し、Ｙの色材は、第１の領域において、明度Ｙ１ａ及び明度Ｙ１ｂ（Ｙ１ａ、Ｙ１ｂは０以上の整数、Ｙ１ｂ＞Ｙ１ａ）を有するとともに、第２の領域において、明度Ｙ２ａ及び明度Ｙ２ｂ（Ｙ２ａ、Ｙ２ｂは０以上の整数、Ｙ２ｂ＞Ｙ２ａ）を有し、黒の色材は、第１の領域及び第２の領域において、明度ｋａ及び明度ｋｂ｛（ｋａ、ｋｂ）の組み合わせは、（α’、β’）又は（α’’、β’’）｝を有し、第１の領域における各画素は、Ｃ１ａ、Ｍ１ａ、Ｙ１ａ及びｋｂの明度の組み合わせ又はＣ１ｂ、Ｍ１ｂ、Ｙ１ｂ及びｋａの明度の組み合わせのいずれかを有するとともに、Ｃ１ａ、Ｍ１ａ、Ｙ１ａ及びｋｂの明度の組み合わせの画素とＣ１ｂ、Ｍ１ｂ、Ｙ１ｂ及びｋａの明度の組み合わせの画素は、画素数が同一又は近似しており、第２の領域における各画素は、Ｃ２ａ、Ｍ２ａ、Ｙ２ａ及びｋａの明度の組み合わせ又はＣ２ｂ、Ｍ２ｂ、Ｙ２ｂ及びｋｂの明度の組み合わせのいずれかを有するとともに、Ｃ２ａ、Ｍ２ａ、Ｙ２ａ及びｋａの明度の組み合わせの画素とＣ２ｂ、Ｍ２ｂ、Ｙ２ｂ及びｋｂの明度の組み合わせの画素は、画素数が同一又は近似していることを特徴とする真偽判別対象画像を有する印刷物である。      
【００２９】
また、本発明は、本発明の印刷物に毛抜き合せ又は隣接して可視情報となる第３の領域が形成され、第３の領域はＣ、Ｍ、Ｙ及びｋの少なくとも一つで形成されたことを特徴とする真偽判別対象画像を有する印刷物である。      
【００３０】
また、本発明のＣ１ａは、Ｍ１ａ、Ｙ１ａ及びｋａよりも小さい明度で形成し、Ｃ１ｂは、Ｍ１ｂ、Ｙ１ｂ及びｋｂよりも小さい明度で形成し、Ｃ２ａは、Ｍ２ａ、Ｙ２ａ及びｋａよりも小さい明度で形成し、Ｃ２ｂは、Ｍ２ｂ、Ｙ２ｂ及びｋｂよりも小さい明度で形成することを特徴とする真偽判別対象画像を有する印刷物である。  
【発明の効果】
【００３１】
本発明では、真偽判別対象画像を有する印刷物に対して可視光及び赤外光の
両方を照射し、可視光及び赤外光の両方に十分な感度を有する画像入力装置を用いて真偽判別対象画像を読み取り、真偽判別対象画像データ内のウィンドウにおける明度のばらつきを基にしてウィンドウの中心画素の明度を変換した後に潜像情報を検出するため、従来の方法に比べ照明ムラ等の影響を受けにくくなり、印刷物の真偽判別を正確に行うことが可能である。      
【００３２】
また、本発明では、潜像情報が可視画像にも赤外画像にも現れないため、従来の方法に比べ潜像情報（真偽判別対象画像）の秘匿性効果が高い。      
【００３３】
また、本発明では、Ｃ、Ｍ、Ｙ、ｋの４色の内、Ｃ、Ｍ、Ｙに関しては赤外線を透過する色材を用い、ｋに関しては赤外線を吸収する色材を用いている。したがって、真偽判別対象画像を有する印刷物を複写した複製品からは潜像情報（真偽判別対象画像）が検出されないため、複写を防止する効果が高い。      
【００３４】
また、本発明では、真偽判別対象画像を有する印刷物から読み取った真偽判別対象画像データに所定の処理を施して判別用画像データを生成し、この判別用画像データをディスプレイ等に表示するため、目視による印刷物の真偽判別を容易に行うことが可能である。      
【００３５】
また、本発明では、真偽判別対象画像を有する印刷物から読み取った真偽判別対象画像データに所定の処理を施して判別用画像データを生成し、この判別用画像データと基準画像データとを機械処理によって比較及び照合し、印刷物の真偽判別を行うことが可能である。      
【００３６】
また、本発明により作製された真偽判別対象画像を有する印刷物は、プリンタ及び印刷機等、様々な出力装置を用いて、紙、プラスチック、金属及び布等の基材に簡便に印刷した印刷物であるので、証券、紙幣、印紙、証紙、切手、旅券、身分証明書、通行証、会員証及びクレジットカードを含む印刷物の識別や真偽判別を要する多方面の分野に利用することが可能である。  
【発明を実施するための最良の形態】
【００３７】
以下、本発明に係る印刷物作製方法、印刷物作製装置、真偽判別方法、真偽判別装置及び印刷物の実施形態について図面を参照して説明する。また、本発明にかかわる印刷物作製方法、印刷物作製装置、真偽判別方法、真偽判別装置及び印刷物の実施の態様は以下に示す実施例に限定されるものではなく、本発明に係る特許請求の範囲に記載した技術事項の範囲内であれば、各種の態様を採用することができる。      
【００３８】
（印刷物作製装置１００）  以下、本発明に係る印刷物作製装置１００の具体的な構成を説明する。図１に示す印刷物作製装置１００は、入力部１１０と、データ生成部１２０と、データ合成部１３０と、記憶部１５０と、印刷部１６０から構成されている。      
【００３９】
図１の入力部１１０は、二値画像データｇ４２０及び二値画像データｈ４３０の入力を行う。ここで、二値画像データｇ４２０及び二値画像データｈ４３０は、同サイズの画像データである。二値画像データｇ４２０は、少なくとも第１の領域及び第２の領域からなり、いずれか一方が真偽判別対象となる。二値画像データｇ４２０は、明度αの画素と明度βの画素（α、βは０以上の整数、β＞α）で配列されている。二値画像データｈ４３０は、明度αの画素と明度βの画素（α、βは０以上の整数、β＞α）が任意に配列されており、所定領域内において、明度αの画素数と明度βの画素数が同一又は近似している。      
【００４０】
図１のデータ生成部１２０は、二値画像データｇ４２０及び二値画像データｈ４３０を基にして二値画像データｉ４４０を生成する。ここで、データ生成の方法に関しては、二値画像データｇ４２０の第１の領域又は第２の領域のいずれか一方の領域に対応する二値画像データｈ４３０の領域において、二値画像データｈ４３０の明度αを明度βに反転し、明度βを明度αに反転して二値画像データｉ４４０を生成する。例えば、二値画像データｇ４２０の座標（ｘ，ｙ）における明度ｇ（ｘ，ｙ）が０の場合に、二値画像データｈ４３０の明度ｈ（ｘ，ｙ）を反転することにより二値画像データｉ４４０を生成するか、または、明度ｇ（ｘ，ｙ）が０でない場合に、明度ｈ（ｘ，ｙ）を反転することにより二値画像データｉ４４０を生成する。      
【００４１】
図１のデータ合成部１３０は、二値画像データｈ４３０及び二値画像データｉ４４０を基にして二値画像ｇ潜像化済み画像データｊ４５０を生成する。ここで、データ合成の方法に関しては、まず、二値画像データｈ４３０の明度α及び明度βを、それぞれ明度α’及び明度β’（α’、β’は０以上の整数、β’＞α’）に補正して画像データｈ’を生成し、二値画像データｉ４４０の明度α及び明度βを、それぞれ明度α’’及び明度β’’（α’’、β’’は０以上の整数、β’’＞α’’）に補正して画像データｉ’を生成する。      
【００４２】
次に、画像データｈ’及び画像データｉ’のいずれか一方を、Ｃ成分、Ｍ成分、Ｙ成分及びｋ成分から成るカラー画像データの黒成分に代入するとともに、他方をＣ成分、Ｍ成分、Ｙ成分の各成分に代入してｃｍｙｋ画像データを生成する。そして、ｃｍｙｋ画像データが白黒画像データとなり、ｃｍｙｋ画像データに二値画像データｇの第１の領域及び第２の領域のいずれか一方の領域が発現しないように、ｃｍｙｋ画像データのｃ成分の各画素の明度を補正して、第１の領域における明度Ｃ１ａの画素及び明度Ｃ１ｂの画素（Ｃ１ａ、Ｃ１ｂは０以上の整数、Ｃ１ｂ＞Ｃ１ａ）と第２の領域における明度Ｃ２ａの画素及び明度Ｃ２ｂの画素（Ｃ２ａ、Ｃ２ｂは０以上の整数、Ｃ２ｂ＞Ｃ２ａ）から成るＣ成分を生成し、かつ、ｃｍｙｋ画像データのｍ成分の各画素の明度を補正して、第１の領域における明度Ｍ１ａの画素及び明度Ｍ１ｂの画素（Ｍ１ａ、Ｍ１ｂは０以上の整数、Ｍ１ｂ＞Ｍ１ａ）と第２の領域における明度Ｍ２ａの画素及び明度Ｍ２ｂの画素（Ｍ２ａ、Ｍ２ｂは０以上の整数、Ｍ２ｂ＞Ｍ２ａ）から成るＭ成分を生成し、かつ、ｃｍｙｋ画像データのｙ成分の各画素の明度を補正して、第１の領域における明度Ｙ１ａの画素及び明度Ｙ１ｂの画素（Ｙ１ａ、Ｙ１ｂは０以上の整数、Ｙ１ｂ＞Ｙ１ａ）と第２の領域における明度Ｙ２ａの画素及び明度Ｙ２ｂの画素（Ｙ２ａ、Ｙ２ｂは０以上の整数、Ｙ２ｂ＞Ｙ２ａ）から成るＹ成分を生成し、ｃｍｙｋ画像データのｋ成分の各画素の明度を、第１の領域及び第２の領域において、明度ｋａ及び明度ｋｂ｛（ｋａ、ｋｂ）の組み合わせは、（α’、β’）又は（α’’、β’’）｝とし、Ｃ成分、Ｍ成分、Ｙ成分及びｋ成分によって構成されたＣＭＹｋ画像データを二値画像ｇ潜像化済み画像データｊ４５０とする。      
【００４３】
図１の記憶部１５０は、データ記憶装置を備えており、二値画像ｇ潜像化済み画像データｊ４５０の書き込み、記憶、読み出しを行う。      
【００４４】
図１の印刷部１６０は、プリンタや印刷機などの画像出力機器を備えており、二値画像ｇ潜像化済み画像データｊ４５０の全部またはその一部を、紙、プラスチック、金属及び布を含む所定の基材の表面の所定の位置に所定の解像度で出力することによって、証券、紙幣、印紙、証紙、切手、旅券、身分証明書、通行証、会員証及びクレジットカード等を含む真偽判別対象画像を有する印刷物３１０を作製する。      
【００４５】
（印刷物作製装置１００’）  以下、本発明に係る印刷物作製装置１００’の具体的な構成を説明する。図２に示す印刷物作製装置１００’は、入力部１１０’と、データ生成部１２０と、データ合成部１３０と、データ結合部１４０と、記憶部１５０及び印刷部１６０から構成されている。      
【００４６】
図２の入力部１１０’は、画像データｆ４１０、二値画像データｇ４２０及び二値画像データｈ４３０の入力を行う。ここで、画像データｆ４１０、二値画像データｇ４２０及び二値画像データｈ４３０は、同サイズの画像データである。画像データｆ４１０は、可視情報を有している。二値画像データｇ４２０は、少なくとも第１の領域及び第２の領域から成り、いずれか一方が真偽判別対象画像となる。二値画像データｇ４２０は、明度αの画素と明度βの画素（α、βは０以上の整数、β＞α）で配列されている。二値画像データｈ４３０は、明度αの画素と明度βの画素（α、βは０以上の整数、β＞α）が任意に配列されており、所定領域内において、明度αの画素数と明度βの画素数が同一又は近似している。      
【００４７】
図２のデータ生成部１２０は、二値画像データｇ４２０及び二値画像データｈ４３０を基にして二値画像データｉ４４０を生成する。ここで、データ生成の方法に関しては、二値画像データｇ４２０の第１の領域又は第２の領域のいずれか一方の領域に対応する二値画像データｈ４３０の領域において、二値画像データｈ４３０の明度αの画素については明度βに反転し、明度βの画素については明度αに反転し、二値画像データｉ４４０を生成する。例えば、二値画像データｇ４２０の座標（ｘ，ｙ）における明度ｇ（ｘ，ｙ）が０の場合に、二値画像データｈ４３０の明度ｈ（ｘ，ｙ）を反転することにより二値画像データｉ４４０を生成するか、又は明度ｇ（ｘ，ｙ）が０でない場合に、明度ｈ（ｘ，ｙ）を反転することにより二値画像データｉ４４０を生成する。      
【００４８】
図２のデータ合成部１３０は、二値画像データｈ４３０及び二値画像データｉ４４０を基にして二値画像ｇ潜像化済み画像データｊ４５０を生成する。ここで、データ合成の方法に関しては、まず、二値画像データｈ４３０の明度α及び明度βをそれぞれ明度α’及び明度β’（α’、β’は０以上の整数、β’＞α’）に補正して画像データｈ’を生成し、二値画像データｉ４４０の明度α及び明度βをそれぞれ明度α’’及び明度β’’（α’’、β’’は０以上の整数、β’’＞α’’）に補正して画像データｉ’を生成する。      
【００４９】
次に、画像データｈ’及び画像データｉ’のいずれか一方を、Ｃ成分、Ｍ成分、Ｙ成分及びｋ成分から成るカラー画像データのｋ成分に代入するとともに、他方をＣ成分、Ｍ成分及びＹ成分の各成分に代入してｃｍｙｋ画像データを生成する。次に、ｃｍｙｋ画像データのｃ成分、ｍ成分及びｙ成分から成るｃｍｙ画像データが白黒画像データとなるように、ｃ成分、ｍ成分及びｙ成分の各画素の明度を補正して、ｃ’成分、ｍ’成分及びｙ’成分を生成する。      
【００５０】
次に、ｃｍｙｋ画像データのｋ成分とｃ’成分、ｍ’成分及びｙ’成分から成るｃ’ｍ’ｙ’ｋ画像データに二値画像データｇの第１の領域及び第２の領域のいずれか一方の領域が発現しないように、ｃ’ｍ’ｙ’ｋ画像データのｃ’成分の各画素の明度を補正して、第１の領域における明度Ｃ１ａの画素及び明度Ｃ１ｂの画素（Ｃ１ａ、Ｃ１ｂは０以上の整数、Ｃ１ｂ＞Ｃ１ａ）と第２の領域における明度Ｃ２ａの画素及び明度Ｃ２ｂの画素（Ｃ２ａ、Ｃ２ｂは０以上の整数、Ｃ２ｂ＞Ｃ２ａ）から成るＣ成分を生成し、かつｃ’ｍ’ｙ’ｋ画像データのｍ’成分の各画素の明度を補正して、第１の領域における明度Ｍ１ａの画素及び明度Ｍ１ｂの画素（Ｍ１ａ、Ｍ１ｂは０以上の整数、Ｍ１ｂ＞Ｍ１ａ）と第２の領域における明度Ｍ２ａの画素及び明度Ｍ２ｂの画素（Ｍ２ａ、Ｍ２ｂは０以上の整数、Ｍ２ｂ＞Ｍ２ａ）から成るＭ成分を生成し、かつ、ｃ’ｍ’ｙ’ｋ画像データのｙ’成分の各画素の明度を補正して、第１の領域における明度Ｙ１ａの画素及び明度Ｙ１ｂの画素（Ｙ１ａ、１ｂは０以上の整数、Ｙ１ｂ＞Ｙ１ａ）と第２の領域における明度Ｙ２ａの画素及び明度Ｙ２ｂの画素（Ｙ２ａ、Ｙ２ｂは０以上の整数、Ｙ２ｂ＞Ｙ２ａ）から成るＹ成分を生成し、ｃ’ｍ’ｙ’ｋ画像データのｋ成分の各画素の明度を、第１の領域及び第２の領域において、明度ｋａ及び明度ｋｂ｛（ｋａ，ｋｂ）の組み合わせは、（α’、β’）又は（α’’、β’’）｝とし、Ｃ成分、Ｍ成分、Ｙ成分及びｋ成分によって構成されたＣＭＹｋ画像データを二値画像ｇ潜像化済み画像データｊ４５０とする。      
【００５１】
図２のデータ結合部１４０は、二値画像ｇ潜像化済み画像データｊ４５０と画像データ
ｆ４１０とをレイヤー結合し、結合画像データｎ４６０を生成する。      
【００５２】
図２の記憶部１５０は、データ記憶装置を備えており、結合画像データｎ４６０の書き込み、記憶及び読み出しを行う。      
【００５３】
図２の印刷部１６０は、プリンタや印刷機等の画像出力機器を備えており、結合画像データｎ４６０の全部又はその一部を、紙、プラスチック、金属及び布を含む所定の基材の表面の所定の位置に所定の解像度で出力することによって、証券、紙幣、印紙、証紙、切手、旅券、身分証明書、通行証、会員証及びクレジットカード等を含む真偽判別対象画像を有する印刷物３１０’を作製する。      
【００５４】
（印刷物作製方法１）  本発明に係る印刷物作製方法１について、図３に示すフローチャートにより説明する。      
【００５５】
図３のステップＳＴ１０１では、図１の入力部１１０において、二値画像データｇ４２０の入力を行う。      
【００５６】
図７に、図１の入力部１１０で入力した二値画像データｇ４２０の一例を示す。ここで、図７の例では、二値画像データｇ４２０の画素数は、２５６×２５６画素である。また、二値画像データｇ４２０の明度は、明度αの値が０で、明度βの値が２５５である。図７に示すように、二値画像データｇ４２０は、第１の領域１０（太陽）及び第２の領域１１（太陽の背景）から成り、第１の領域１０は真偽判別対象画像となる。      
【００５７】
図３のステップＳＴ１０２では、図１の入力部１１０において、二値画像データｈ４３０の入力を行う。      
【００５８】
図８に、図１の入力部１１０で入力した二値画像データｈ４３０の一例を示す。ここで、図８の例では、二値画像データｈ４３０は、乱数を基にして作成されたものである。二値画像データｈ４３０の画素数は、二値画像データｇ４２０と同じ２５６×２５６画素の二次元配列である。また、二値画像データｈ４３０の明度は、明度αの値が０で、明度βの値が２５５である。図８の例では、二値画像データｈ４３０は、乱数を基にして作成されているが、本発明はこれに限定されることはない。例えば、明度αの画素と明度βの画素の配置は規則性を設けても良い。ただし、二値画像データｈ４３０は、所定領域内において、明度αの画素数と明度βの画素数が同一又は近似している。      
【００５９】
図３のステップＳＴ１０４では、二値画像データｇ４２０及び二値画像データｈ４３０を基にして二値画像データｉ４４０を生成する。ここで、データの生成方法に関しては、二値画像データｇ４２０の第１の領域１０又は第２の領域１１のいずれか一方の領域に対応する二値画像データｈ４３０の領域において、二値画像データｈ４３０の明度αの画素については明度βに反転し、明度βの画素については明度αに反転し、二値画像データｉ４４０を生成する。例えば、図３では、第１の領域１０において、明度αを明度βに反転し、明度βを明度αに反転し、二値画像データｉ４４０を生成している。      
【００６０】
図９に、二値画像データｇ４２０の座標（ｘ，ｙ）における明度ｇ（ｘ，ｙ）が０でない場合に、二値画像データｈ４３０の座標（ｘ，ｙ）における明度ｈ（ｘ，ｙ）を反転して作成した二値画像データｉ４４０の例を示す。ここで、図９の例では、二値画像データｉ４４０は、画素数が２５６×２５６の二次元配列である。また、二値画像データｉ４４０の明度は、明度αの値が０で、明度βの値が２５５である。      
【００６１】
図３のステップＳＴ１０５では、二値画像データｈ４３０と二値画像データｉ４４０を合成して二値画像ｇ潜像化済み画像データｊ４５０を生成する。以下、合成方法に関して、図１０から図１５を用いて説明する。      
【００６２】
図１０に、二値画像データｈ４３０の明度αの値を０から１１０に補正して明度α’とし、明度βの値を２５５から２１０に補正して明度β’として生成した画像データｈ’の一例を示す。画像データｈ’は、二値画像データｈ４３０に比べて全体的に濃度が中間調に近づくことになる。      
【００６３】
図１１に、二値画像データｉ４４０の明度αの値を０から２２３に補正して明度α’’とし、明度βの値を２５５のままにして明度β’’として生成した画像データｉ’の一例を示す。      
【００６４】
図１２に、ｃｍｙｋ画像データのｋ成分に、図１１の画像データｉ’を代入した結果を示す。この場合、ｋ成分の各画素の明度を明度ｋａ及び明度ｋｂとすると、ｋａ＝α’’及びｋｂ＝β’’となる。      
【００６５】
図１３（ａ）、図１３（ｂ）、図１３（Ｃ）は、それぞれ、ｃｍｙｋ画像データのｃ成分、ｍ成分及びｙ成分の各成分に図１０の画像データｈ’を代入したものである。ここで、ｃ成分、、ｍ成分及びｙ成分の各成分の明度α’の値は１１０で、明度β’の値は２１０である。      
【００６６】
図１４（ａ）、図１４（ｂ）、図１４（Ｃ）は、ｃ成分、ｍ成分及びｙ成分から成るｃｍｙ画像データが白黒画像データとなり、さらに、ｃ成分、ｍ成分、ｙ成分及びｋ成分から成るｃｍｙｋ画像データに二値画像データｇ４２０の第１の領域１０及び第２の領域１１のいずれか一方の領域が発現しないように、Ｃ成分、Ｍ成分及びＹ成分の各明度を補正して得られたＣ成分、Ｍ成分及びＹ成分を示したものである。      
【００６７】
ｃ成分については、第１の領域における明度α’の画素から明度Ｃ１ａの画素に補正し、第１の領域における明度β’の画素から明度Ｃ１ｂの画素に補正し、第２の領域における明度α’の画素から明度Ｃ２ａの画素に補正し、第２の領域における明度β’の画素から明度Ｃ２ｂの画素に補正してＣ成分を生成する（Ｃ１ａ、Ｃ１ｂ、Ｃ２ａ及びＣ２ｂは０以上の整数、Ｃ１ｂ＞Ｃ１ａ、Ｃ２ｂ＞Ｃ２ａ）。ｍ成分については、第１の領域における明度α’の画素から明度Ｍ１ａの画素に補正し、第１の領域における明度β’の画素から明度Ｍ１ｂの画素に補正し、第２の領域における明度α’の画素から明度Ｍ２ａの画素に補正し、第２の領域における明度β’の画素から明度Ｍ２ｂの画素に補正してＭ成分を生成する（Ｍ１ａ、Ｍ１ｂ、Ｍ２ａ及びＭ２ｂは０以上の整数、Ｍ１ｂ＞Ｍ１ａ、Ｍ２ｂ＞Ｍ２ａ）。ｙ成分については、第１の領域における明度α’の画素から明度Ｙ１ａの画素に補正し、第１の領域における明度β’の画素から明度Ｙ１ｂの画素に補正し、第２の領域における明度α’の画素から明度Ｙ２ａの画素に補正し、第２の領域における明度β’の画素から明度Ｙ２ｂの画素に補正してＹ成分を生成する（Ｙ１ａ、Ｙ１ｂ、Ｙ２ａ及びＹ２ｂは０以上の整数、Ｙ１ｂ＞Ｙ１ａ、Ｙ２ｂ＞Ｙ２ａ）。      
【００６８】
図１４（ａ）のＣ成分において、第１の領域１０（太陽）の明度Ｃ１ａの値は１１８で、明度Ｃ１ｂの値は２２９である。また、Ｃ成分において、第２の領域１１（太陽の背景）の明度Ｃ２ａの値は１４６で、明度Ｃ２ｂの値は２０１である。      
【００６９】
図１４（ｂ）のＭ成分において、第１の領域１０（太陽）の明度Ｍ１ａの値は１５２で、明度Ｍ１ｂの値は２４０である。また、Ｍ成分において、第２の領域１１（太陽の背景）の明度Ｍ２ａの値は１７１で、明度Ｍ２ｂの値は２２１である。      
【００７０】
図１４（Ｃ）のＹ成分において、第１の領域１０（太陽）の明度Ｙ１ａの値は１５４で、明度Ｙ１ｂの値は２３９である。また、Ｙ成分において、第２の領域１１（太陽の背景）の明度Ｙ２ａの値は１７３で、明度Ｙ２ｂの値は２２０である。      
【００７１】
図１５に、Ｃ成分、Ｍ成分、Ｙ成分及びｋ成分から成るＣＭＹｋ画像データを示す。また、このＣＭＹｋ画像データには図７の二値画像データｇ４２０のパターンが潜像化されていることから、ＣＭＹｋ画像データを二値画像ｇ潜像化済み画像データｊ４５０とする。      
【００７２】
図３のステップＳＴ１０７では、二値画像ｇ潜像化済み画像データｊ４５０を図１の記憶部１５０に書き込んで保存する。      
【００７３】
図３のステップＳＴ１０８では、前述のように、プリンタや印刷機等の画像出力機器を用いて、二値画像ｇ潜像化済み画像データｊ４５０の全部又はその一部を、紙、プラスチック、金属及び布を含む所定の基材の表面の所定の位置に所定の解像度で出力することによって、証券、紙幣、印紙、証紙、切手、旅券、身分証明書、通行証、会員証及びクレジットカード等を含む真偽判別対象画像を有する印刷物３１０を作製する。      
【００７４】
なお、前述の所定の基材に出力するときに、ｋ成分については、赤外線吸収色素を含む黒インキ（例えばカーボンブラックインキ）を用い、Ｃ成分、Ｍ成分及びＹ成分については赤外線を透過するインキを用いて構成することとなる。      
【００７５】
図１６に、図１５の二値画像ｇ潜像化済み画像データｊ４５０をカラーレーザプリンタ（FUJI  XEROX  Docucolor  1256  GA）に、１２０ｄｐｉ、ＣＭＹｋカラー画像として出力して作製した真偽判別対象画像を有する印刷物３１０の一例を示す。二値画像ｇ潜像化済み画像データｊ４５０は、図５の真偽判別対象画像データ取得部２１０で読み込む真偽判別対象画像である。図１６は、図１５の二値画像ｇ潜像化済み画像データｊ４５０の全部を利用して正方形の形状で紙に出力したものであるが、紙以外に、プラスチック、金属及び布等の基材の所定の位置に所定の解像度で出力してもよい。      
【００７６】
また、真偽判別対象画像を有する印刷物３１０を作製する際には、必ずしも二値画像ｇ潜像化済み画像データｊ４５０の全部を利用して正方形や長方形の形状で出力する必要はなく、例えば、その一部を楕円形などの形状にして切り出し、プリンタや印刷機などの画像出力機器に出力してもよい。      
【００７７】
図１７は、図１５の二値画像ｇ潜像化済み画像データｊ４５０を円形に切り出し、カラーレーザプリンタ（FUJI  XEROX  DoCuColor  1256  GA）に、１２０ｄｐｉ、ＣＭＹｋカラー画像として出力して作製した真偽判別対象画像を有する印刷物３１０の一例である。二値画像ｇ潜像化済み画像データｊ４５０は、図５の真偽判別対象画像データ取得部２１０で読み込む真偽判別対象画像である。      
【００７８】
また、図１６や図１７の例では、一つの二値画像ｇ潜像化済み画像データｊ４５０を出力して印刷物が作製されているが、複数の二値画像ｇ潜像化済み画像データｊ４５０を出力して印刷物を作製してもよい。その際、それぞれの二値画像ｇ潜像化済み画像データｊ４５０ごとに、二値画像データｇ４２０のパターンを変えてもよい。      
【００７９】
二値画像データｇ４２０及び二値画像データｈ４３０の画素数については、２５６×２５６画素で説明しているが、本発明はこれに限定されることがない。例えば、５１２×５１２画素等でも作製可能である。  
【００８０】
（印刷物作製方法２）  本発明に係る印刷物作製方法２について、図４に示すフローチャートにより説明する。なお、印刷物作製方法１と共通する箇所については、印刷物作製方法１で説明した図面を用いて説明する。      
【００８１】
図４のステップＳＴ１０３では、図２の入力部１１０’において、画像データｆ４１０の入力を行う。      
【００８２】
図１８に、図２の入力部１１０’で入力した画像データｆ４１０の一例を示す。画像データｆ４１０は、可視情報を有している。ここで、図１８の例では、画像データｆ４１０は、画素数が２５６×２５６の二次元配列であり、Ｃ成分、Ｍ成分、Ｙ成分及びｋ成分から成るカラー画像データである。また、画像データｆ４１０は、二値画像ｇ潜像化済み画像データｊ４５０とレイヤー結合し、結合画像データｎ４６０を生成するために用いられる。      
【００８３】
図４のステップＳＴ１０１では、図２の入力部１１０’において、二値画像データｇ４２０の入力を行う。      
【００８４】
図７に、図２の入力部１１０’で入力した二値画像データｇ４２０の一例を示す。ここで、図７の例では、二値画像データｇ４２０の画素数は、２５６×２５６画素である。また、二値画像データｇ４２０の明度は、明度αの値が０で、明度βの値が２５５である。図７に示すように、二値画像データｇ４２０は、第１の領域１０（太陽）及び第
２の領域１１（太陽の背景）から成り、第１の領域１０（太陽）は、真偽判別対象画像となる。      
【００８５】
図４のステップＳＴ１０２では、図２の入力部１１０’において、二値画像データｈ４３０の入力を行う。      
【００８６】
図８に、図２の入力部１１０’で入力した二値画像データｈ４３０の一例を示す。ここで、図８の例では、二値画像データｈ４３０は、乱数を基にして作成されたものである。二値画像データｈ４３０の画素数は、二値画像データｇ４２０と同じ２５６×２５６の二次元配列である。また、二値画像データｈ４３０の明度は、明度αの値が０で、明度βの値が２５５である。図８では、二値画像データｈ４３０は、乱数を基にして作成されているが、本発明はこれに限定されることがない。例えば、明度αの画素と明度βの画素の配置は、規則性を設けても良い。ただし、二値画像データｈ４３０は、所定領域内において、明度αの画素数と明度βの画素数が同一又は近似している。      
【００８７】
図４のステップＳＴ１０４では、二値画像データｇ４２０及び二値画像データｈ４３０を基にして二値画像データｉ４４０を生成する。ここで、データの生成方法に関しては、二値画像データｇ４２０の第１の領域１０又は第２の領域１１のいずれか一方の領域に対応する二値画像データｈ４３０の領域において、二値画像データｈ４３０の明度αの画素については明度βに反転し、明度βの画素については明度αに反転して二値画像データｉ４４０を生成する。例えば、図４では、第１の領域１０において、明度αの画素を明度βに反転し、明度βの画素を明度αに反転して二値画像データｉ４４０を生成している。      
【００８８】
図９に、二値画像データｇ４２０の座標（ｘ，ｙ）における明度ｇ（ｘ，ｙ）が０でない場合に、二値画像データｈ４３０の座標（ｘ，ｙ）における明度ｈ（ｘ，ｙ）を反転して作成した二値画像データｉ４４０の例を示す。ここで、図９の例では、二値画像データｉ４４０は、画素数が２５６×２５６の二次元配列である。また、二値画像データｉ４４０の明度は、明度αの値が０で、明度βの値が２５５である。      
【００８９】
図４のステップＳＴ１０５では、二値画像データｈ４３０と二値画像データｉ４４０を合成して二値画像ｇ潜像化済み画像データｊ４５０を生成する。以下、データの合成方法に関して、図１０〜図１３、図１８〜図２３を用いて説明する。      
【００９０】
図１０に、二値画像データｈ４３０の明度αの値を０から１１０に補正して明度α’とし、明度βの値を２５５から２１０に補正して明度β’として生成した画像データｈ’の一例を示す。画像データｈ’は、二値画像データｈ４３０に比べて全体的に濃度が中間調に近づくことになる。      
【００９１】
図１１に、二値画像データｉ４４０の明度αの値を０から２２３に補正して明度α’’とし、明度βの値を２５５のままにして明度β’’として生成した画像データｉ’の一例を示す。      
【００９２】
図１２に、ｃｍｙｋ画像データのｋ成分に図１１の画像データｉ’を代入した結果を示す。この場合、ｋ成分の各画素の明度を明度ｋａ及び明度ｋｂとすると、ｋａ＝α’’及びｋｂ＝β’’となる。      
【００９３】
図１３（ａ）、図１３（ｂ）、図１３（Ｃ）は、それぞれ、ｃｍｙｋ画像データのｃ成分、ｍ成分及びｙ成分の各成分に図１０の画像データｈ’を代入したものである。ここで、ｃ成分、ｍ成分及びｙ成分の各成分の明度α’の値は１１０で、明度β’の値は２１０である。      
【００９４】
図１９（ａ）、図１９（ｂ）、図１９（Ｃ）は、ｃ成分、ｍ成分及びｙ成分から成るｃｍｙ画像データが白黒画像データとなるように、ｃ成分、ｍ成分及びｙ成分の各明度を補正して生成した、ｃ’成分、ｍ’成分及びｙ’成分を示したものである。      
【００９５】
図１３（ａ）のｃ成分の明度α’の値を１１８に補正して明度ｃ’ａとし、ｃ成分の明度β’の値を２０１に補正して明度ｃ’ｂとし、図１９（ａ）に示すｃ’成分が生成される。図１３（ｂ）のｍ成分の明度α’の値を１５２に補正して明度ｍ’ａとし、ｍ成分の明度β’の値を２２１に補正して明度ｍ’ｂとし、図１９（ｂ）に示すｍ’成分が生成される。図１３（Ｃ）のｙ成分の明度α’の値を１５４に補正して明度ｙ’ａとし、ｙ成分の明度β’の値を２２０に補正して明度ｙ’ｂとし、図１９（Ｃ）に示すｙ’成分が生成される。      
【００９６】
図２０に、ｃ’成分、ｍ’成分及びｙ’成分から成るｃ’ｍ’ｙ’画像データを示す。ｃ’成分の明度ｃ’ａと明度ｃ’ｂの値、ｍ’成分の明度ｍ’ａと明度ｍ’ｂの値及びｙ’成分の明度ｙ’ａと明度ｙ’ｂの値を前述のように設定することによって、ｃ’ｍ’ｙ’画像データは、白黒画像データとなる。      
【００９７】
図２１は、図２０のｃ’ｍ’ｙ’画像データと図１２のｋ成分から成るｃ’ｍ’ｙ’ｋ画像データを示したものである。図２１のｃ’ｍ’ｙ’ｋ画像データは、白黒画像データではあるが、図７の二値画像データｇ４２０の第１の領域１０（太陽）のパターンが発現してしまうため、二値画像データｇ４２０の第１の領域１０（太陽）のパターンが発現しないように、ｃ’成分の明度ｃ’ａと明度ｃ’ｂの値、ｍ’成分の明度ｍ’ａと明度ｍ’ｂの値及びｙ’成分の明度ｙ’ａと明度ｙ’ｂの値を補正する必要がある。      
【００９８】
ｃ’成分おいて、第１の領域における明度ｃ’ａの画素については明度Ｃ１ａに補正し、第１の領域における明度ｃ’ｂの画素については明度Ｃ１ｂに補正し、第２の領域における明度ｃ’ａの画素については明度Ｃ２ａに補正し、第２の領域における明度ｃ’ｂの画素については明度Ｃ２ｂに補正してＣ成分を生成する（Ｃ１ａ、Ｃ１ｂ、Ｃ２ａ，Ｃ２ｂは０以上の整数、Ｃ１ｂ＞Ｃ１ａ、Ｃ２ｂ＞Ｃ２ａ）。また、ｍ’成分おいて、第１の領域における明度ｍ’ａの画素については明度Ｍ１ａに補正し、第１の領域における明度ｍ’ｂの画素については明度Ｍ１ｂに補正し、第２の領域における明度ｍ’ａの画素については明度Ｍ２ａに補正し、第２の領域における明度ｍ’ｂの画素については明度Ｍ２ｂに補正してＭ成分を生成する（Ｍ１ａ、Ｍ１ｂ、Ｍ２ａ，Ｍ２ｂは０以上の整数、Ｍ１ｂ＞Ｍ１ａ、Ｍ２ｂ＞Ｍ２ａ）。また、ｙ’成分おいて、第１の領域における明度ｙ’ａの画素については明度Ｙ１ａに補正し、第１の領域における明度ｙ’ｂの画素については明度Ｙ１ｂに補正し、第２の領域における明度ｙ’ａの画素については明度Ｙ２ａに補正し、第２の領域における明度ｙ’ｂの画素については明度Ｙ２ｂに補正してＹ成分を生成する（Ｙ１ａ、Ｙ１ｂ、Ｙ２ａ，Ｙ２ｂは０以上の整数、Ｙ１ｂ＞Ｙ１ａ、Ｙ２ｂ＞Ｙ２ａ）。      
【００９９】
図２２（ａ）、図２２（ｂ）、図２２（Ｃ）は、それぞれ、図２１のｃ’ｍ’ｙ’ｋ画像データに図７の二値画像データｇ４２０の第１の領域１０（太陽）のパターンが発現しないように、図１９のｃ’成分、ｍ’成分及びｙ’成分の各明度を補正して生成したＣ成分、Ｍ成分及びＹ成分を示したものである。      
【０１００】
図２２（ａ）のＣ成分において、第１の領域１０（太陽）における明度Ｃ１ａの値は１１８で、明度Ｃ１ｂの値は２２９である。また、Ｃ成分において、第２の領域１１（太陽の背景）における明度Ｃ２ａの値は１４６で、明度Ｃ２ｂの値は２０１である。      
【０１０１】
図２２（ｂ）のＭ成分において、第１の領域１０（太陽）における明度Ｍ１ａの値は１５２で、明度Ｍ１ｂの値は２４０である。また、Ｍ成分において、第２の領域１１（太陽の背景）における明度Ｍ２ａの値は１７１で、明度Ｍ２ｂの値は２２１である。      
【０１０２】
図２２（Ｃ）のＹ成分において、第１の領域１０（太陽）における明度Ｙ１ａの値は１５４で、明度Ｙ１ｂの値は２３９である。また、Ｙ成分において、第２の領域１１（太陽の背景）における明度Ｙ２ａの値は１７３で、明度Ｙ２ｂの値は２２０である。      
【０１０３】
図２３に、Ｃ成分、Ｍ成分、Ｙ成分及びｋ成分から成るＣＭＹｋ画像データを示す。図２１のｃ’ｍ’ｙ’ｋ画像データに発現していた二値画像データｇ４２０の第１の領域１０（太陽）のパターンは、図２３のＣＭＹｋ画像データには現れないことが分かる。また、このＣＭＹｋ画像データには、図７の二値画像データｇ４２０のパターンが潜像化されていることから、ＣＭＹｋ画像データを二値画像ｇ潜像化済み画像データｊ４５０とする。      
【０１０４】
図４のステップＳＴ１０６では、二値画像ｇ潜像化済み画像データｊ４５０と画像データｆ４１０とをレイヤー結合して結合画像データｎ４６０を生成する。      
【０１０５】
図２４に、図２３の二値画像ｇ潜像化済み画像データｊ４５０と図１８の画像データｆ４１０とをレイヤー結合して生成した結合画像データｎ４６０の一例を示す。図２４の例では、図１８の画像データｆ４１０の山と雪の絵柄部分を、図２３の二値画像ｇ潜像化済み画像データｊ４５０とレイヤー結合している。このため、図１８の画像データｆ４１０の空の絵柄部分が図２３の二値画像ｇ潜像化済み画像データｊ４５０に置き換わっている。このように、図１８の画像データｆ４１０をカモフラージュ用の画像として使用してもよい。      
【０１０６】
図４のステップＳＴ１０７では、結合画像データｎ４６０を図２の記憶部１５０に書き込んで保存する。      
【０１０７】
図４のステップＳＴ１０８では、前述のように、プリンタや印刷機等の画像出力機器を用いて、結合画像データｎ４６０の全部又はその一部を、紙、プラスチック、金属及び布を含む所定の基材の表面の所定の位置に所定の解像度で出力することによって、証券、紙幣、印紙、証紙、切手、旅券、身分証明書、通行証、会員証及びクレジットカード等を含む真偽判別対象画像を有する印刷物３１０’を作製する。      
【０１０８】
なお、前述の所定の基材に出力するときに、ｋ成分については、赤外線吸収色素を含む黒インキ（例えばカーボンブラックインキ）を用い、Ｃ成分、Ｍ成分及びＹ成分については赤外線を透過するインキを用いて構成することとなる。      
【０１０９】
図２５に、図２４の結合画像データｎ４６０をカラーレーザプリンタ（FUJI  XEROX  DoCuColor  1256  GA）に、１２０ｄｐｉ、ＣＭＹｋカラー画像として出力して作製した真偽判別対象画像を有する印刷物３１０’の一例を示す。結合画像データｎ４６０は、図５の真偽判別対象画像データ取得部２１０で読み込む真偽判別対象画像である。図２５は、図２４の結合画像データｎ４６０の全部を利用して正方形の形状で紙に出力したものであるが、紙以外に、プラスチック、金属及び布等の基材の所定の位置に所定の解像度で出力してもよい。      
【０１１０】
また、真偽判別対象画像を有する印刷物３１０’を作製する際には、必ずしも結合画像データｎ４６０の全部を利用して正方形や長方形の形状で出力する必要はなく、例えば、その一部を楕円形などの形状にして切り出し、プリンタや印刷機等の画像出力機器に出力してもよい。      
【０１１１】
図２６は、図２４の結合画像データｎ４６０を円形に切り出し、カラーレーザプリンタ（FUJI  XEROX  DoCuColor  1256  GA）に、１２０ｄｐｉ、ＣＭＹｋカラー画像として出力して作製した真偽判別対象画像を有する印刷物３１０’の一例である。結合画像データｎ４６０は、図５の真偽判別対象画像データ取得部２１０で読み込む真偽判別対象画像である。      
【０１１２】
また、図２５や図２６の例では、一つの結合画像データｎ４６０を出力して印刷物が作製されているが、複数の結合画像データｎ４６０を出力して印刷物を作製してもよい。その際、それぞれの結合画像データｎ４６０ごとに、画像データｆ４１０の絵柄や二値画像データｇ４２０のパターンを変えてもよい。    
【０１１３】
画像データｆ４１０、二値画像データｇ４２０及び二値画像データｈ４３０の画素数は２５６×２５６画素で説明しているが、本発明はこれに限定されることがない。例えば、５１２×５１２画素等でも作製可能である。      
【０１１４】
印刷物作製方法２では、ステップＳＴ１０３で画像データｆ４１０を入力し、
ステップＳＴ１０１で二値画像データｇ４２０を入力し、ステップＳＴ１０２で二値画像データｈ４３０の入力をしているが、画像データｆ４１０、二値画像データｇ４２０及び二値画像データｈ４３０の入力順については特に限定されるものではない。      
【０１１５】
印刷物作製方法１及び印刷物作製方法２に示した明度の値は特に限定されるものではない。      
【０１１６】
（真偽判別装置）  次に、本発明に係る真偽判別装置２００の具体的な構成を説明する。図５に示す真偽判別装置２００は、真偽判別対象画像データ取得部２１０と、明度変換部２２０と、判別用画像データ生成部２３０と、記憶部２４０と、表示部２５０及び真偽判別部２６０から構成されている。      
【０１１７】
図５の真偽判別対象画像データ取得部２１０は、印刷物３２０に含まれる真偽判別対象画像に対して可視光及び赤外光の両方を照射し、可視光及び赤外光の両方に十分な感度を有するイメージスキャナやイメージセンサカメラ等の画像入力装置を用いて真偽判別対象画像を読み取り、真偽判別対象画像データ４７０を生成する。      
【０１１８】
図５の明度変換部２２０は、まず、真偽判別対象画像データ４７０内にｐ×ｑ画素（ｐ，ｑは正の整数）のウィンドウを設定し、ウィンドウを走査させるごとにウィンドウ内の明度のばらつきを測定する。ここで、ウィンドウ内の明度のばらつきが大きい場合には、ウィンドウの中心画素の明度を小さくし、ウィンドウ内の明度のばらつきが小さい場合には、ウィンドウの中心画素の明度を大きくする明度変換を第１の明度変換と定義する。また、ウィンドウ内の明度のばらつきが大きい場合には、ウィンドウの中心画素の明度を大きくし、ウィンドウ内の明度のばらつきが小さい場合には、ウィンドウの中心画素の明度を小さくする明度変換を第２の明度変換と定義する。そして、ウィンドウを走査させるごとに、第１の明度変換又は第２の明度変換のいずれかを行うことにより、真偽判別対象画像データ４７０の明度を変換する。      
【０１１９】
図５の判別用画像データ生成部２３０は、明度変換後の画像データ４８０に所定の階調変換を行って判別用画像データ４９０を生成する。      
【０１２０】
図５の記憶部２４０は、データ記憶装置を備えており、真偽判別に用いる基準画像データ５００の書き込み、記憶及び読み出しを行う。      
【０１２１】
図５の表示部２５０は、液晶モニタやＣＲＴ等の画像表示装置を備えており、判別用画像データ４９０及び基準画像データ５００をこれらの装置に表示し、両者を目視によって比較及び照合して真偽判別を行う。      
【０１２２】
図５の真偽判別部２６０は、あらかじめ定められた基準画像データ５００と判別用画像データ４９０とを比較及び照合して真偽判別を行い、基準画像データ５００と判別用画像データ４９０との類似度があらかじめ定めた類似度以上となるときに、印刷物３２０を真正な印刷物として判別し、真偽判別結果３３０を出力する。      
【０１２３】
（真偽判別方法）  本発明に係る真偽判別方法の実施例の作用について、図６に示すフローチャートにより説明する。      
【０１２４】
図６のステップＳＴ２０１では、図５の真偽判別対象画像データ取得部２１０において、印刷物３２０に含まれる真偽判別対象画像を読み取って、真偽判別対象画像データ４７０を生成する。      
【０１２５】
図２７は、可視光及び赤外光を照射する照明として白熱灯（SFC:TELOP  LAMP  100V-75W）を用い、可視光及び赤外光の両方に十分な感度を有する画像入力装置としてビデオカメラ（TEXAS  INSTRUMENTS:MC-781P-0030）を用いて、図２５の結合画像データｎ４６０から成る真偽判別対象画像を８ビットのグレースケール画像として読み取った真偽判別対象画像データ４７０である。      
【０１２６】
図２８（ａ）に、図２７の真偽判別対象画像データ４７０の左上部分を矩形の枠で示す。      
【０１２７】
図２８（ｂ）は、真偽判別対象画像データ４７０の左上部分の拡大図であるが、図２５の結合画像データｎ４６０に潜像化されていた図７の二値画像データｇ４２０の第１の領域１０（太陽）のパターンが発現していることが分かる。      
【０１２８】
これは、図２２（ａ）のＣ成分、図２２（ｂ）のＭ成分及び図２２（Ｃ）のＹ成分の説明の中で述べたように、第１の領域１０（太陽）の明度を適切に設定することによって、印刷物３２０に含まれる真偽判別対象画像に対して可視光及び赤外光の両方を照射し、可視光及び赤外光の両方に十分な感度を有する画像入力装置を用いて真偽判別対象画像を読み取った場合、太陽の絵柄部分の画素（明度Ｃ１ａ、明度Ｍ１ａ、明度Ｙ１ａ及び明度ｋｂから成る画素又は明度Ｃ１ｂ、明度Ｍ１ｂ、明度Ｙ１ｂ及び明度ｋａから成る画素）は、太陽の絵柄以外の部分の明度の低い画素（明度Ｃ２ａ、明度Ｍ２ａ、明度Ｙ２ａ及び明度ｋａから成る画素）より明るく、太陽の絵柄以外の部分の明度の高い画素（明度Ｃ２ｂ、明度Ｍ２ｂ、明度Ｙ２ｂ及び明度ｋｂから成る画素）より暗くなるためである。      
【０１２９】
図６のステップＳＴ２０２では、真偽判別対象画像データ４７０内のウィンドウにおける明度のばらつきを基にして、ウィンドウの中心画素の明度を変換する。明度の変換方法は、図５の明度変換部２２０において説明したとおりである。      
【０１３０】
図２９に、真偽判別対象画像データ４７０内に設定したｐ×ｑ画素（ｐ、ｑは正の整数）のウィンドウを示す。      
【０１３１】
図３０に、真偽判別対象画像データ４７０内におけるｐ×ｑ画素のウィンドウの走査方法の一例を示す。図３０の例では、ｐ×ｑ画素のウィンドウを真偽判別対象画像データ４７０の左上から右下までラスタ状に走査させている。      
【０１３２】
そして、ウィンドウを走査させるごとに、ウィンドウ内の明度のばらつきを測定する。明度のばらつきを測定する方法としては、例えば、ウィンドウ内の明度の最大値と最小値の差を測定したり、ウィンドウ内の明度の分散を測定する等、様々な方法が有効である。      
【０１３３】
ここで、ウィンドウ内の明度のばらつきの大小に応じて、ウィンドウの中心画素の明度を設定する。例えば、ウィンドウ内の明度のばらつきが大きい場合には、ウィンドウの中心画素の明度を小さくし、ウィンドウ内の明度のばらつきが小さい場合には、ウィンドウの中心画素の明度を大きくしてもよい。便宜上、このような明度変換を第１の明度変換と定義する。      
【０１３４】
また、ウィンドウ内の明度のばらつきが大きい場合には、ウィンドウの中心画素の明度を大きくし、ウィンドウ内の明度のばらつきが小さい場合には、ウィンドウの中心画素の明度を小さくしてもよい。便宜上、このような明度変換を第２の明度変換と定義する。      
【０１３５】
そして、ウィンドウを走査させるごとに、第１の明度変換又は第２の明度変換のいずれかを行うことにより、真偽判別対象画像データ４７０の明度を変換する。      
【０１３６】
図６のステップＳＴ２０３では、明度変換後の画像データ４８０に所定の階調変換を行って判別用画像データ４９０を生成する。      
【０１３７】
図３１に、判別用画像データ４９０の一例を示す。図３１の例では、図６のステップＳＴ２０２において、５×５画素のウィンドウを用いて、第１の明度変換を行うことにより、真偽判別対象画像データ４７０の明度を変換した。そして、明度変換後の画像データ４８０の明度階調をリニアに拡大する階調変換を行い、明度が０から２５５までの階調を有する判別用画像データ４９０を生成した。これにより、潜像化されていた図７の二値画像データｇ４２０の第１の領域１０（太陽）であるパターンを鮮明に発現させることが可能になった。      
【０１３８】
図６のステップＳＴ２０４では、図５の真偽判別部２６０において、判別用画像データ４９０との比較及び照合を行うため、図５の記憶部２４０から基準画像データ５００の読み出しを行う。      
【０１３９】
図６のステップＳＴ２０５では、人間が目視できるように判別用画像データ４９０及び基準画像データ５００の両方を画像表示し、両者を目視によって比較及び照合して真偽判別を行う。      
【０１４０】
図６のステップＳＴ２０６では、印刷物３２０が真正な印刷物かどうかを判別するために、判別用画像データ４９０と基準画像データ５００とを比較及び照合して真偽判別を行う。ここで、判別用画像データ４９０と基準画像データ５００との類似度が、あらかじめめ定めた類似度以上となるときに、印刷物３２０を真正な印刷物として判別し、真偽判別結果３３０を出力する。      
【０１４１】
機械による真偽判別方法としては、例えば、正規化相関等のパターンマッチング手法を用いて、判別用画像データ４９０と基準画像データ５００との類似度を数値化し、この類似度があらかじめ定めた類似度以上となるときに、印刷物３２０を真正な印刷物として判別する。      
【０１４２】
図３２（ａ）は、イメージスキャナ（EPSON  GT-7000S）を用いて、図２５の結合画像データｎ４６０から成る真偽判別対象画像を１２０ｄｐｉ、８ビットのグレースケール画像として読み取った真偽判別対象画像データ４７０である。図３２（ａ）の結果から、真偽判別対象画像に対して可視光を照射し、可視光に感度を有するイメージセンサを用いて真偽判別対象画像を読み取った場合、真偽判別対象画像に潜像化されている図７の二値画像データｇ４２０の第１の領域１０（太陽）であるパターンが発現しないことが分かる。      
【０１４３】
図３２（ｂ）は、赤外線イメージスキャナ（iMeasure  IR-4000）を用いて、図２５の結合画像データｎ４６０から成る真偽判別対象画像を１２０ｄｐｉ、８ビットのグレースケール画像として読み取った真偽判別対象画像データ４７０である。図３２（ｂ）の結果から、真偽判別対象画像に対して赤外光を照射し、赤外光に感度を有するイメージセンサを用いて真偽判別対象画像を読み取った場合、真偽判別対象画像に潜像化されている図７の二値画像データｇ４２０の第１の領域１０（太陽）であるパターンが発現しないことが分かる。      
【０１４４】
また、図３２（ａ）及び図３２（ｂ）の結果から、真偽判別対象画像に潜像化されている図７の二値画像データｇ４２０の第１の領域１０（太陽）であるパターンは、可視光イメージスキャナで検出されないだけでなく、赤外線イメージスキャナでも検出が困難であるため、本発明は、潜像情報の漏洩を防ぐ効果が高いことが分かる。      
【０１４５】
図３３に、可視光及び赤外光を照射する照明として白熱灯（SFC:TELOP  LAMP  100V-75W）を用い、可視光及び赤外光の両方に十分な感度を有する画像入力装置としてビデオカメラ（TEXAS  INSTRUMENTS:MC-781P-0030）を用いて、図２５の結合画像データｎ４６０から成る真偽判別対象画像を複写した複製品を８ビットのグレースケール画像として読み取った真偽判別対象画像データ４７０に対して、所定の処理を行った判別用画像データ４９０の一例を示す。      
【０１４６】
図３３の結果から、真偽判別対象画像を複写した複製品では、図７の二値画像データｇ４２０の第１の領域１０（太陽）であるパターンが検出されないため、真正品でないことが明らかである。このことから、本発明は、真正品と複製品との真偽判別を容易に行える効果があることが分かる。      
【０１４７】
図３４（ａ）は、イメージスキャナ（EPSON GT-7000S）を用いて、図２５の結合画像データｎ４６０から成る真偽判別対象画像を複写した複製品を１２０ｄｐｉ、８ビットのグレースケール画像として読み取った真偽判別対象画像データ４７０である。図３４（ａ）の結果から、図２５の結合画像データｎ４６０からなる真偽判別対象画像を複写した複製品に対して可視光を照射し、可視光に感度を有するイメージセンサを用いて複製品を読み取った場合、図７の二値画像データｇ４２０の第１の領域１０（太陽）が発現しないことが分かる。      
【０１４８】
図３４（ｂ）は、赤外線イメージスキャナ（iMeasure  IR-4000）を用いて、図２５の結合画像データｎ４６０から成る真偽判別対象画像を複写した複製品を１２０ｄｐｉ、８ビットのグレ
ースケール画像として読み取った真偽判別対象画像データ４７０である。図３４（ｂ）の結果から、図２５の結合画像データｎ４６０から成る真偽判別対象画像を複写した複製品に対して赤外光を照射し、赤外光に感度を有するイメージセンサを用いて複製品を読み取った場合、図７の二値画像データｇ４２０の第１の領域１０（太陽）が発現しないことが分かる。      
【０１４９】
真偽判別方法について、図２５の結合画像データｎ４６０から成る真偽判別対象画像を用いて説明したが、本発明はこれに限定されることがない。
【０１５０】
（真偽判別対象画像を有する印刷物）  図３５に、基材１に第１の領域３及び第２の領域４のいずれか一方が真偽判別対象画像となる印刷画像２を有する、真偽判別対象画像を有する印刷物Ａ１を示す。印刷画像２の第１の領域３は、拡大するとパターン５のような画像で形成されており、印刷画像２の第２の領域４は、拡大するとパターン６のような画像で形成されている。図３５では、印刷画像２について、第１の領域３及び第２の領域４の二つの領域で説明するが、本発明はこれに限定されることなく、少なくとも二つの領域を有していれば良い。第１の領域３（潜像）は、第１ａの領域３ａと第１ｂの領域３ｂが複数配列されて形成され、第２の領域４（背景）は、第２ａの領域４ａと第２ｂの領域４ｂが複数配列されて形成される。      
【０１５１】
印刷画像２は、Ｃ成分、Ｍ成分、Ｙ成分及びｋ成分から構成される。Ｃ成分の明度は、第１の領域３における明度Ｃ１ａ及び明度Ｃ１ｂ（Ｃ１ａ、Ｃ１ｂは０以上の整数、Ｃ１ｂ＞Ｃ１ａ）と第２の領域４における明度Ｃ２ａ及び明度Ｃ２ｂ（Ｃ２ａ、Ｃ２ｂは０以上の整数、Ｃ２ｂ＞Ｃ２ａ）から成る。Ｍ成分の明度は、第１の領域３における明度Ｍ１ａ及び明度Ｍ１ｂ（Ｍ１ａ、Ｍ１ｂは０以上の整数、Ｍ１ｂ＞Ｍ１ａ）と第２の領域４における明度Ｍ２ａ及び明度Ｍ２ｂ（Ｍ２ａ、Ｍ２ｂは０以上の整数、Ｍ２ｂ＞Ｍ２ａ）から成る。Ｙ成分の明度は、第１の領域３における明度Ｙ１ａ及び明度Ｙ１ｂ（Ｙ１ａ、Ｙ１ｂは０以上の整数、Ｙ１ｂ＞Ｙ１ａ）と第２の領域４における明度Ｙ２ａ及び明度Ｙ２ｂ（Ｙ２ａ、Ｙ２ｂは０以上の整数、Ｙ２ｂ＞Ｙ２ａ）から成る。ｋ成分の明度は、第１の領域３及び第２の領域４において、明度ｋａ及び明度ｋｂ（ｋａ、ｋｂは０以上の整数、ｋｂ＞ｋａ）から成る。      
【０１５２】
第１の領域３（潜像）の第１ａの領域３ａには明度Ｃ１ａの画素、明度Ｍ１ａの画素、明度Ｙ１ａの画素及び明度ｋｂの画素が形成され、第１の領域３（潜像）の第１ｂの領域３ｂには明度Ｃ１ｂの画素、明度Ｍ１ｂの画素、明度Ｙ１ｂの画素及び明度ｋａの画素が形成され、第２の領域４（背景）の第２ａの領域４ａには明度Ｃ２ａの画素、明度Ｍ２ａの画素、明度Ｙ２ａの画素及び明度ｋａの画素が形成され、第２の領域４（背景）の第２ｂの領域４ｂには明度Ｃ２ｂの画素、明度Ｍ２ｂの画素、明度Ｙ２ｂの画素及び明度ｋｂの画素が形成される。つまり、第１の領域３における各画素は、Ｃ１ａ、Ｍ１ａ、Ｙ１ａ及びｋｂの明度の組み合わせ又はＣ１ｂ、Ｍ１ｂ、Ｙ１ｂ及びｋａの明度の組み合わせのいずれかを有するとともに、第２の領域４における各画素は、Ｃ２ａ、Ｍ２ａ、Ｙ２ａ及びｋａの明度の組み合わせ、又はＣ２ｂ、Ｍ２ｂ、Ｙ２ｂ及びｋｂの明度の組み合わせのいずれかを有する。なお、黒の色材は、第１の領域３及び第２の領域４において、明度ｋａ及び明度ｋｂ｛（ｋａ、ｋｂ）の組み合わせは、（α’、β’）又は（α’’、β’’）｝を有し、ｋ成分については、赤外線吸収色素を含む黒インキ（例えばカーボンブラックインキ）を用い、Ｃ成分、Ｍ成分及びＹ成分については赤外線を透過するインキを用いて構成することとなる。      
【０１５３】
第１の領域３における各画素については、Ｃ１ａ、Ｍ１ａ、Ｙ１ａ及びｋｂの明度の組み合わせの画素と、Ｃ１ｂ、Ｍ１ｂ、Ｙ１ｂ及びｋａの明度の組み合わせの画素の数は、同一又は近似して形成される。また、第２の領域４における各画素については、Ｃ２ａ、Ｍ２ａ、Ｙ２ａ及びｋａの明度の組み合わせの画素と、Ｃ２ｂ、Ｍ２ｂ、Ｙ２ｂ及びｋｂの明度の組み合わせの画素の数は、同一又は近似して形成される。ここでいう近似とは、互いの画素数の差が５％以下程度のことをいう。      
【０１５４】
明度Ｃ１ａは、明度Ｍ１ａ、明度Ｙ１ａ及び明度ｋａよりも小さい明度で形成し、明度Ｃ１ｂは、明度Ｍ１ｂ、明度Ｙ１ｂ及び明度ｋｂよりも小さい明度で形成し、明度Ｃ２ａは、明度Ｍ２ａ、明度Ｙ２ａ及び明度ｋａよりも小さい明度で形成し、明度Ｃ２ｂは、明度Ｍ２ｂ、明度Ｙ２ｂ及び明度ｋｂよりも小さい明度で形成される。      
【０１５５】
明度ｋｂは、明度Ｃ１ａ、明度Ｍ１ａ、明度Ｙ１ａ、明度Ｃ１ｂ、明度Ｍ１ｂ、明度Ｙ１ｂ、明度Ｃ２ａ、明度Ｍ２ａ、明度Ｙ２ａ、明度Ｃ２ｂ、明度Ｍ２ｂ及び明度Ｙ２ｂよりも大きい明度で形成されることが好ましく、明度ｋａは、明度Ｃ１ａ、明度Ｍ１ａ、明度Ｙ１ａ、明度Ｃ２ａ、明度Ｍ２ａ及び明度Ｙ２ａよりも大きい明度で形成されることが好ましい。      
【０１５６】
前述の説明では、第１の領域３（潜像）に、明度Ｃ１ａの画素、明度Ｍ１ａの画素、明度Ｙ１ａの画素及び明度ｋｂの画素と、明度Ｃ１ｂの画素、明度Ｍ１ｂの画素、明度Ｙ１ｂの画素及び明度ｋａの画素が形成され、第２の領域４（背景）に、明度Ｃ２ａの画素、明度Ｍ２ａの画素、明度Ｙ２ａの画素及び明度ｋａの画素と、明度Ｃ２ｂの画素、明度Ｍ２ｂの画素、明度Ｙ２ｂの画素及び明度ｋｂの画素が形成されているが、本発明はこれに限定されることなく、第１の領域３（潜像）に、明度Ｃ２ａの画素、明度Ｍ２ａの画素、明度Ｙ２ａの画素及び明度ｋａの画素と、明度Ｃ２ｂの画素、明度Ｍ２ｂの画素、明度Ｙ２ｂの画素及び明度ｋｂの画素が形成され、第２の領域４（背景）に、明度Ｃ１ａの画素、明度Ｍ１ａの画素、明度Ｙ１ａの画素及び明度ｋｂの画素と、明度Ｃ１ｂの画素、明度Ｍ１ｂの画素、明度Ｙ１ｂの画素及び明度ｋａの画素が形成されてもよい。      
【０１５７】
図３５では、第１の領域３（潜像）の第１ａの領域３ａに形成される明度Ｃ１ａの画素、明度Ｍ１ａの画素、明度Ｙ１ａの画素及び明度ｋｂの画素は重なって形成されているが、実際のインクジェットプリンタ等で出力した印刷物のそれぞれの画素は重なってはいない。また、第１ｂの領域３ｂに形成される明度Ｃ１ｂの画素、明度Ｍ１ｂの画素、明度Ｙ１ｂの画素及び明度ｋａの画素は重ねって形成されているが、実際のインクジェットプリンタ等で出力した印刷物のそれぞれの画素は重なってはいない。また、第２の領域４（背景）の第２ａの領域４ａに形成される明度Ｃ２ａの画素、明度Ｍ２ａの画素、明度Ｙ２ａの画素及び明度ｋａの画素は重ねって形成されているが、実際のインクジェットプリンタ等で出力した印刷物のそれぞれの画素は重なってはいない。また、第２ｂの領域４ｂに形成される明度Ｃ２ｂの画素、明度Ｍ２ｂの画素、明度Ｙ２ｂの画素及び明度ｋｂの画素は重ねって形成されているが、実際のインクジェットプリンタ等で出力した印刷物のそれぞれの画素は重なってはいない。      
【０１５８】
図３６（ａ）に、真偽判別対象画像を有する印刷物Ａ１を可視光下で観察した場合を示す。図３６（ａ）に示すように、第１の領域３（潜像）は、肉眼で観察することができない。第１の領域３（潜像）と第２の領域４（背景）を構成する画素は、微細であり、第１の領域３（潜像）を構成する画素と、第２の領域４（背景）を構成する画素の違いは僅かであるため、第１の領域３（潜像）と第２の領域４（背景）を区分けして確認することができない。図３６（ｂ）に、真偽判別対象画像を有する印刷物Ａ１を赤外光下で観察した場合を示す。図３６（ａ）に示すように、第１の領域３（潜像）は、肉眼で観察することができない。赤外光下で観察される黒の第１の領域３（潜像）と第２の領域４（背景）を構成する画素は、微細であり、第１の領域３（潜像）を構成する明度ｋａの画素及び明度ｋｂの画素と、第２の領域４（背景）を構成する明度ｋａの画素及び明度ｋｂの画素との違いは僅かであるため、第１の領域３（潜像）と第２の領域４（背景）を区分けして確認することができない。      
【０１５９】
図３７に、真偽判別対象画像を有する印刷物Ａ１に可視光及び赤外光を照射して、可視光及び赤外光の両方に十分な感度を有する画像入力装置で観察した場合を示す。可視光及び赤外光を照射する照明として、白熱灯（SFC：TELOP  LAMP  100V-75W）を用い、可視光及び赤外光の両方に十分な感度を有する画像入力装置として、ビデオカメラ（TEXAS  INSTRUMENTS:MC-781P-0030）を用いた。この結果、第１の領域３（潜像）を観察することができた。太陽の絵柄部分（明度Ｃ１ａの画素、明度Ｍ１ａの画素、明度Ｙ１ａの画素、明度ｋｂの画素、明度Ｃ１ｂの画素、明度Ｍ１ｂの画素、明度Ｙ１ｂの画素、明度ｋａの画素）は、太陽の絵柄以外の部分の明度の低い画素（明度Ｃ２ａの画素、明度Ｍ２ａの画素、明度Ｙ２ａの画素、明度ｋａの画素）より淡く、太陽の絵柄以外の部分の明度の高い画素（明度Ｃ２ｂの画素、明度Ｍ２ｂの画素、明度Ｙ２ｂの画素、明度ｋｂの画素）より濃くなって視認される。よって、第１の領域３を潜像（太陽）として観察することができる。      
【０１６０】
真偽判別対象画像を有する印刷物Ａ１に、毛抜き合せ又は隣接して可視情報となる第３の領域１４を形成しても良い。図３８に、その一例を示す。可視情報は、Ｃ、Ｍ、Ｙ及び黒の少なくとも一つの色材で形成される。      
【０１６１】
真偽判別対象画像を有する印刷物の基材は、紙及びプラスチック等、特に限定されるものではない。      
【０１６２】
真偽判別対象画像を有する印刷物の印刷方式は、インクジェットプリンタ、レーザプリンタ及びオフセット印刷方式等で印刷可能である。      
【０１６３】
以上、本発明に係る印刷物作製方法、印刷物作製装置、真偽判別方法、真偽判別装置及び印刷物の実施の形態を具体的な実施例に基づいて説明してきたが、本発明に係る印刷物作製方法、印刷物作製装置、真偽判別方法、真偽判別装置及び印刷物の実施の態様は、前述の実施例に限定されるものではなく、本発明に係る特許請求の範囲に記載した技術事項の範囲内であれば、各種の態様を採用することができる。  
【図面の簡単な説明】
【０１６４】
【図１】本発明に係る印刷物作製装置１００の全体構成を説明するための図である。
【図２】本発明に係る印刷物作製装置１００’の全体構成を説明するための図である。
【図３】本発明に係る印刷物作製装置１００における印刷物作製手順を示すフローチャートである。
【図４】本発明に係る印刷物作製装置１００’における印刷物作製手順を示すフローチャートである。
【図５】本発明に係る真偽判別装置２００の全体構成を説明するための図である。
【図６】本発明に係る真偽判別装置２００における真偽判別手順を示すフローチャートである。
【図７】本発明に係る印刷物作製装置の入力部で入力した二値画像データｇの一例を示す図である。
【図８】本発明に係る印刷物作製装置の入力部で入力した二値画像データｈの一例を示す図である。
【図９】本発明に係る印刷物作製装置のデータ生成部で生成された二値画像データｉの一例を示す図である。
【図１０】本発明に係る印刷物作製装置のデータ合成部において、二値画像データｈの明度α及び明度βをそれぞれ明度α’及び明度β’（α’、β’は０以上の整数、β’＞α’）に補正して生成した画像データｈ’の一例を示す図である。
【図１１】本発明に係る印刷物作製装置のデータ合成部において、二値画像データｉの明度α及び明度βをそれぞれ明度α’’及び明度β’’（α’’、β’’は０以上の整数、β’’＞α’’）に補正して生成した画像データｉ’の一例を示す図である。
【図１２】本発明に係る印刷物作製装置のデータ合成部において、画像データｉ’を、ｃｍｙｋ画像データのｋ成分に代入した一例を示す図である。
【図１３】（ａ）本発明に係る印刷物作製装置のデータ合成部において、画像データｈ’をｃｍｙｋ画像データのｃ成分に代入した一例を示す図である。  （ｂ）本発明に係る印刷物作製装置のデータ合成部において、画像データｈ’をｃｍｙｋ画像データのｍ成分に代入した一例を示す図である。  （Ｃ）本発明に係る印刷物作製装置のデータ合成部において、画像データｈ’をｃｍｙｋ画像データのｙ成分に代入した一例を示す図である。
【図１４】（ａ）ｃｍｙｋ画像データに二値画像データｇのパターンが発現しないように、ｃ成分の各画素の明度を補正して生成したＣ成分の一例を示す図である。  （ｂ）ｃｍｙｋ画像データに二値画像データｇのパターンが発現しないように、ｍ成分の各画素の明度を補正して生成したＭ成分の一例を示す図である。  （Ｃ）ｃｍｙｋ画像データに二値画像データｇのパターンが発現しないように、ｙ成分の各画素の明度を補正して生成したＹ成分の一例を示す図である。
【図１５】Ｃ成分、Ｍ成分、Ｙ成分及びｋ成分から成るＣＭＹｋ画像データ（二値画像ｇ潜像化済み画像データｊ）の一例を示す図である。
【図１６】本発明に係る印刷物作製装置１００の印刷部で作製された真偽判別対象画像を有する印刷物３１０の一例を示す図である。
【図１７】本発明に係る印刷物作製装置１００の印刷部で作製された真偽判別対象画像を有する印刷物３１０の一例を示す図である（二値画像ｇ潜像化済み画像データｊの一部を円形にして印刷した場合）。
【図１８】本発明に係る印刷物作製装置１００’の入力部で入力した画像データｆの一例を示す図である。
【図１９】（ａ）ｃ成分、ｍ成分及びｙ成分から成るｃｍｙ画像データが白黒画像データとなるように、ｃ成分の各画素の明度を補正して生成したｃ’成分の一例を示す図である。  （ｂ）ｃ成分、ｍ成分及びｙ成分から成るｃｍｙ画像データが白黒画像データとなるように、ｍ成分の各画素の明度を補正して生成したｍ’成分の一例を示す図である。  （Ｃ）ｃ成分、ｍ成分及びｙ成分から成るｃｍｙ画像データが白黒画像データとなるように、ｙ成分の各画素の明度を補正して生成したｙ’成分の一例を示す図である。
【図２０】ｃ’成分、ｍ’成分及びｙ’成分から成るｃ’ｍ’ｙ’画像データの一例を示す図である。
【図２１】ｃ’成分、ｍ’成分、ｙ’成分及びｋ成分から成るｃ’ｍ’ｙ’ｋ画像データの一例を示す図である。
【図２２】（ａ）ｃ’ｍ’ｙ’ｋ画像データに二値画像データｇのパターンが発現しないように、ｃ’成分の各画素の明度を補正して生成したＣ成分の一例を示す図である。  （ｂ）ｃ’ｍ’ｙ’ｋ画像データに二値画像データｇのパターンが発現しないように、ｍ’成分の各画素の明度を補正して生成したＭ成分の一例を示す図である。  （Ｃ）ｃ’ｍ’ｙ’ｋ画像データに二値画像データｇのパターンが発現しないように、ｙ’成分の各画素の明度を補正して生成したＹ成分の一例を示す図である。
【図２３】Ｃ成分、Ｍ成分、Ｙ成分及びｋ成分から成るＣＭＹｋ画像データ（二値画像ｇ潜像化済み画像データｊ）の一例を示す図である。
【図２４】本発明に係る印刷物作製装置１００’のデータ結合部において、二値画像ｇ潜像化済み画像データｊと画像データｆとをレイヤー結合して生成した結合画像データｎの一例を示す図である。
【図２５】本発明に係る印刷物作製装置１００’の印刷部で作製された真偽判別対象画像を有する印刷物３１０’の一例を示す図である。
【図２６】本発明に係る印刷物作製装置１００’の印刷部で作製された真偽判別対象画像を有する印刷物３１０’の一例を示す図である（結合画像データｎの一部を円形にして印刷した場合）。
【図２７】本発明に係る真偽判別装置２００の真偽判別対象画像データ取得部で、図２５の真偽判別対象画像の全部をディジタル化して生成した真偽判別対象画像データを示す図である。
【図２８】（ａ）真偽判別対象画像データ及び左上部分の関心領域を示す図である。  （ｂ）図２８（ａ）の左上部分の拡大図である。
【図２９】本発明に係る真偽判別装置２００の明度変換部において、真偽判別対象画像データ内を走査させるｐ×ｑ画素（ｐ、ｑは正の整数）のウィンドウとその中心画素を示す図である。
【図３０】真偽判別対象画像データ内におけるｐ×ｑ画素のウィンドウの走査の一例を示す図である。
【図３１】本発明に係る真偽判別装置２００の判別用画像データ生成部で生成された判別用画像データを示す図である。
【図３２】（ａ）イメージスキャナ（EPSON  GT-7000S）を用いて、図２５の真偽判別対象画像を１２０ｄｐｉ、８ビットのグレースケール画像として読み取った可視画像の一例を示す図である。  （ｂ）赤外線イメージスキャナ（iMeasure  IR-4000）を用いて、図２５の真偽判別対象画像を１２０ｄｐｉ、８ビットのグレースケール画像として読み取った赤外画像の一例を示す図である。
【図３３】可視光及び赤外光を照射する照明として白熱灯（SFC：TELOP LAMP  100V-75W）を用い、可視光及び赤外光の両方に十分な感度を有する画像入力装置としてビデオカメラ（TEXAS  INSTRUMENTS：MC-781P-0030）を用いて、図２５の真偽判別対象画像を複写した複製品を８ビットのグレースケール画像として読み取った真偽判別対象画像データに対して、所定の処理を行った判別用画像データの一例を示す図である。
【図３４】（ａ）イメージスキャナ（EPSON  GT-7000S）を用いて、図２５の真偽判別対象画像を複写した複製品を１２０ｄｐｉ、８ビットのグレースケール画像として読み取った可視画像の一例を示す図である。  （ｂ）赤外線イメージスキャナ（iMeasure  IR-4000）を用いて、図２５の真偽判別対象画像を複写した複製品を１２０ｄｐｉ、８ビットのグレースケール画像として読み取った赤外画像の一例を示す図である。
【図３５】真偽判別対象画像を有する印刷物Ａ１を示す図である。
【図３６】（ａ）真偽判別対象画像を有する印刷物Ａ１を可視光下で観察した場合を示す図である。  （ｂ）真偽判別対象画像を有する印刷物Ａ１を赤外光下で観察した場合を示す図である。
【図３７】真偽判別対象画像を有する印刷物Ａ１に可視光及び赤外光を照射して、可視光及び赤外光の両方に感度を有する画像入力装置で観察した場合を示す図である。
【図３８】真偽判別対象画像を有する印刷物Ａ１に毛抜き合せ又は隣接して可視情報となる第３の領域を形成した場合を示す図である。
【符号の説明】
【０１６５】
１          基材２          印刷画像３ａ        第１ａの領域３ｂ        第１ｂの領域３、１０    第１の領域４、１１    第２の領域４ａ        第２ａの領域４ｂ        第２ｂの領域 ５、６      画像のパターン１４        第３の領域１００、１００’  印刷物作製装置１１０、１１０’  入力部１２０      データ生成部１３０      データ合成部１４０      データ結合部１５０      記憶部１６０      印刷部２００      真偽判別装置２１０      真偽判別対象画像データ取得部２２０      明度変換部２３０      判別用画像データ生成部２４０      記憶部２５０      表示部２６０      真偽判別部３１０、３１０’、Ａ１      真偽判別対象画像を有する印刷物３２０      印刷物３３０      真偽判別結果４１０      画像データｆ４２０      二値画像データｇ４３０      二値画像データｈ４４０      二値画像データｉ４５０      二値画像ｇ潜像化済み画像データｊ４６０      結合画像データｎ４７０      真偽判別対象画像データ４８０      明度変換後の画像データ４９０      判別用画像データ５００      基準画像データST１０１    二値画像データｇの入力ST１０２    二値画像データｈの入力  ST１０３  画像データｆの入力ST１０４    画像データの生成ST１０５    画像データの合成ST１０６    画像データの結合ST１０７    画像データの保存ST１０８    画像データの印刷ST２０１    真偽判別対象画像データの取得ST２０２    明度の変換ST２０３    判別用画像データの生成ST２０４    基準画像データの読み出しST２０５    画像データの表示ST２０６    真偽判別α、α’、α’’、β、β’、β’’、ｃ’ａ、ｃ’ｂ、ｍ’ａ、ｍ’ｂ、ｙ’ａ、ｙ’ｂ、Ｃ１ａ、Ｃ１ｂ、Ｍ１ａ、Ｍ１ｂ、Ｙ１ａ、Ｙ１ｂ、Ｃ２ａ、Ｃ２ｂ、Ｍ２ａ、Ｍ２ｂ、Ｙ２ａ、Ｙ２ｂ、ｋａ、ｋｂ                明度
【図１】
2008188794.tif 000003
【図２】
2008188794.tif 000004
【図３】
2008188794.tif 000005
【図４】
2008188794.tif 000006
【図５】
2008188794.tif 000007
【図６】
2008188794.tif 000008
【図７】
2008188794.tif 000009
【図８】
2008188794.tif 000010
【図９】
2008188794.tif 000011
【図１０】
2008188794.tif 000012
【図１１】
2008188794.tif 000013
【図１２】
2008188794.tif 000014
【図１３】
2008188794.tif 000015
【図１４】
2008188794.tif 000016
【図１５】
2008188794.tif 000017
【図１６】
2008188794.tif 000018
【図１７】
2008188794.tif 000019
【図１８】
2008188794.tif 000020
【図１９】
2008188794.tif 000021
【図２０】
2008188794.tif 000022
【図２１】
2008188794.tif 000023
【図２２】
2008188794.tif 000024
【図２３】
2008188794.tif 000025
【図２４】
2008188794.tif 000026
【図２５】
2008188794.tif 000027
【図２６】
2008188794.tif 000028
【図２７】
2008188794.tif 000029
【図２８】
2008188794.tif 000030
【図２９】
2008188794.tif 000031
【図３０】
2008188794.tif 000032
【図３１】
2008188794.tif 000033
【図３２】
2008188794.tif 000034
【図３３】
2008188794.tif 000035
【図３４】
2008188794.tif 000036
【図３５】
2008188794.tif 000037
【図３６】
2008188794.tif 000038
【図３７】
2008188794.tif 000039
【図３８】
2008188794.tif 000040